(57)【要約】      （修正有）【課題】狭帯域通信のための狭帯域時分割複信フレーム構造を提供する方法、コンピュータ可読媒体、および装置を提供する。【解決手段】狭帯域通信のための１つまたは複数の狭帯域ＴＤＤフレーム構造をサポートする装置は、狭帯域通信のための狭帯域ＴＤＤフレーム構造と関連付けられる情報を受信し、第１の狭帯域物理ランダムアクセスチャネル(ＮＰＲＡＣＨ)プリアンブルの第１のシンボルグループを基地局に送信する。１のシンボルグループの第１の長さは、狭帯域ＴＤＤフレーム構造と関連付けられる。【選択図】図１１
2020123976.tif 000002
【特許請求の範囲】
【請求項１】
ユーザ機器(UE)のためのワイヤレス通信のための方法であって、
狭帯域通信のための時分割複信(TDD)フレーム構造と関連付けられる情報を受信するステップと、
前記TDDフレーム構造を使用して1つまたは複数のアップリンク機会において送信される狭帯域物理ランダムアクセスチャネル(NPRACH)のシンボルグループの2つのペアと関連付けられるホッピングパターンを決定するステップと、
前記TDDフレーム構造の中の同じアップリンク機会または隣接するアップリンク機会において、シンボルグループの第1のペアおよびシンボルグループの第2のペアを送信するステップとを備え、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、方法。
【請求項２】
シンボルグループの2つのペアと関連付けられる前記ホッピングパターンが、単一のアップリンク機会において発生する、請求項1に記載の方法。
【請求項３】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項1に記載の方法。
【請求項４】
シンボルグループの前記第1のペアが、概略タイミング推定のために基地局によって使用され、シンボルグループの前記第2のペアが、精密タイミング推定のために基地局によって使用される、請求項1に記載の方法。
【請求項５】
ユーザ機器(UE)のためのワイヤレス通信のための装置であって、
狭帯域通信のための時分割複信(TDD)フレーム構造と関連付けられる情報を受信するための手段と、
前記TDDフレーム構造を使用して1つまたは複数のアップリンク機会において送信される狭帯域物理ランダムアクセスチャネル(NPRACH)のシンボルグループの2つのペアと関連付けられるホッピングパターンを決定するための手段と、
前記TDDフレーム構造の中の同じアップリンク機会または隣接するアップリンク機会において、シンボルグループの第1のペアおよびシンボルグループの第2のペアを送信するための手段とを備え、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、装置。
【請求項６】
シンボルグループの2つのペアと関連付けられる前記ホッピングパターンが、単一のアップリンク機会において発生する、請求項5に記載の装置。
【請求項７】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項5に記載の装置。
【請求項８】
シンボルグループの前記第1のペアが、概略タイミング推定のために基地局によって使用され、シンボルグループの前記第2のペアが、精密タイミング推定のために基地局によって使用される、請求項5に記載の装置。
【請求項９】
ユーザ機器(UE)のためのワイヤレス通信のための装置であって、
メモリと、
前記メモリに結合された少なくとも1つのプロセッサとを備え、前記プロセッサが、
狭帯域通信のための時分割複信(TDD)フレーム構造と関連付けられる情報を受信し、
前記TDDフレーム構造を使用して1つまたは複数のアップリンク機会において送信される狭帯域物理ランダムアクセスチャネル(NPRACH)のシンボルグループの2つのペアと関連付けられるホッピングパターンを決定し、
前記TDDフレーム構造の中の同じアップリンク機会または隣接するアップリンク機会において、シンボルグループの第1のペアおよびシンボルグループの第2のペアを送信する
ように構成され、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、装置。
【請求項１０】
シンボルグループの2つのペアと関連付けられる前記ホッピングパターンが、単一のアップリンク機会において発生する、請求項9に記載の装置。
【請求項１１】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項9に記載の装置。
【請求項１２】
シンボルグループの前記第1のペアが、概略タイミング推定のために基地局によって使用され、シンボルグループの前記第2のペアが、精密タイミング推定のために基地局によって使用される、請求項9に記載の装置。
【請求項１３】
ユーザ機器(UE)のためのコンピュータ実行可能コードを記憶する非一時的コンピュータ可読記憶媒体であって、
狭帯域通信のための時分割複信(TDD)フレーム構造と関連付けられる情報を受信し、
前記TDDフレーム構造を使用して1つまたは複数のアップリンク機会において送信される狭帯域物理ランダムアクセスチャネル(NPRACH)のシンボルグループの2つのペアと関連付けられるホッピングパターンを決定し、
前記TDDフレーム構造の中の同じアップリンク機会または隣接するアップリンク機会において、シンボルグループの第1のペアおよびシンボルグループの第2のペアを送信する
ためのコードを備え、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、非一時的コンピュータ可読記憶媒体。
【請求項１４】
シンボルグループの2つのペアと関連付けられる前記ホッピングパターンが、単一のアップリンク機会において発生する、請求項13に記載の非一時的コンピュータ可読記憶媒体。
【請求項１５】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項13に記載の非一時的コンピュータ可読記憶媒体。
【請求項１６】
シンボルグループの前記第1のペアが、概略タイミング推定のために基地局によって使用され、シンボルグループの前記第2のペアが、精密タイミング推定のために基地局によって使用される、請求項13に記載の非一時的コンピュータ可読記憶媒体。
【請求項１７】
基地局のためのワイヤレス通信のための方法であって、
狭帯域通信のための時分割複信(TDD)フレーム構造と関連付けられる情報を送信するステップと、
前記TDDフレーム構造の中の同じアップリンク機会または隣接するアップリンク機会において、シンボルグループの第1のペアおよびシンボルグループの第2のペアを受信するステップとを備え、
シンボルグループの前記第1のペアおよびシンボルグループの前記第2のペアが、前記TDDフレーム構造を使用して1つまたは複数のアップリンク機会において受信される狭帯域物理ランダムアクセスチャネル(NPRACH)に含まれ、ホッピングパターンと関連付けられ、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、方法。
【請求項１８】
シンボルグループの2つのペアと関連付けられる前記ホッピングパターンが、単一のアップリンク機会において発生する、請求項17に記載の方法。
【請求項１９】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項17に記載の方法。
【請求項２０】
シンボルグループの前記第1のペアが、概略タイミング推定のために基地局によって使用され、シンボルグループの前記第2のペアが、精密タイミング推定のために基地局によって使用される、請求項17に記載の方法。
【請求項２１】
基地局のためのワイヤレス通信のための装置であって、
狭帯域通信のための時分割複信(TDD)フレーム構造と関連付けられる情報を送信するための手段と、
前記TDDフレーム構造の中の同じアップリンク機会または隣接するアップリンク機会において、シンボルグループの第1のペアおよびシンボルグループの第2のペアを受信するための手段とを備え、
シンボルグループの前記第1のペアおよびシンボルグループの前記第2のペアが、前記TDDフレーム構造を使用して1つまたは複数のアップリンク機会において受信される狭帯域物理ランダムアクセスチャネル(NPRACH)に含まれ、ホッピングパターンと関連付けられ、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、装置。
【請求項２２】
シンボルグループの2つのペアと関連付けられる前記ホッピングパターンが、単一のアップリンク機会において発生する、請求項21に記載の装置。
【請求項２３】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項21に記載の装置。
【請求項２４】
シンボルグループの前記第1のペアが、概略タイミング推定のために基地局によって使用され、シンボルグループの前記第2のペアが、精密タイミング推定のために基地局によって使用される、請求項21に記載の装置。
【請求項２５】
基地局のためのワイヤレス通信のための装置であって、
メモリと、
前記メモリに結合された少なくとも1つのプロセッサとを備え、前記プロセッサが、
狭帯域通信のための時分割複信(TDD)フレーム構造と関連付けられる情報を送信し、
前記TDDフレーム構造の中の同じアップリンク機会または隣接するアップリンク機会において、シンボルグループの第1のペアおよびシンボルグループの第2のペアを受信する
ように構成され、
シンボルグループの前記第1のペアおよびシンボルグループの前記第2のペアが、前記TDDフレーム構造を使用して1つまたは複数のアップリンク機会において受信される狭帯域物理ランダムアクセスチャネル(NPRACH)に含まれ、ホッピングパターンと関連付けられ、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、装置。
【請求項２６】
シンボルグループの2つのペアと関連付けられる前記ホッピングパターンが、単一のアップリンク機会において発生する、請求項25に記載の装置。
【請求項２７】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項25に記載の装置。
【請求項２８】
シンボルグループの前記第1のペアが、概略タイミング推定のために基地局によって使用され、シンボルグループの前記第2のペアが、精密タイミング推定のために基地局によって使用される、請求項25に記載の装置。
【請求項２９】
基地局のためのコンピュータ実行可能コードを記憶する非一時的コンピュータ可読記憶媒体であって、
狭帯域通信のための時分割複信(TDD)フレーム構造と関連付けられる情報を送信し、
前記TDDフレーム構造の中の同じアップリンク機会または隣接するアップリンク機会において、シンボルグループの第1のペアおよびシンボルグループの第2のペアを受信する
ためのコードを備え、
シンボルグループの前記第1のペアおよびシンボルグループの前記第2のペアが、前記TDDフレーム構造を使用して1つまたは複数のアップリンク機会において受信される狭帯域物理ランダムアクセスチャネル(NPRACH)に含まれ、ホッピングパターンと関連付けられ、
シンボルグループの前記第1のペアと関連付けられる第1のサブキャリア間隔が単一のサブキャリアであり、
シンボルグループの前記第2のペアと関連付けられる第2のサブキャリア間隔が6つのサブキャリアである、非一時的コンピュータ可読記憶媒体。
【請求項３０】
シンボルグループの2つのペアと関連付けられる前記ホッピングパターンが、単一のアップリンク機会において発生する、請求項29に記載の非一時的コンピュータ可読記憶媒体。
【請求項３１】
シンボルグループの前記第1のペアと関連付けられるホッピングパターンが、シンボルグループの前記第2のペアと関連付けられるホッピングパターンが発生するアップリンク機会とは異なるアップリンク機会に発生する、請求項29に記載の非一時的コンピュータ可読記憶媒体。
【請求項３２】
シンボルグループの前記第1のペアが、概略タイミング推定のために基地局によって使用され、シンボルグループの前記第2のペアが、精密タイミング推定のために基地局によって使用される、請求項29に記載の非一時的コンピュータ可読記憶媒体。
【発明の詳細な説明】
【技術分野】
【０００１】
関連出願の相互参照
本出願は、2017年2月28日に出願された「NARROWBAND TIME-DIVISION DUPLEX FRAME STRUCTURE FOR NARROWBAND COMMUNICATIONS」と題するインド出願第201741007075号、および2017年9月20日に出願された「NARROWBAND TIME-DIVISION DUPLEX FRAME STRUCTURE FOR NARROWBAND COMMUNICATIONS」と題する米国特許出願第15/710,748号の利益を主張し、これらはその全体が参照により本明細書に明確に組み込まれる。
【０００２】
本開示は、全般に、通信システムに関し、より詳細には、狭帯域通信のための狭帯域時分割複信(TDD)フレーム構造に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を利用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、様々なワイヤレスデバイスが都市、国家、地域、さらには地球レベルで通信することを可能にする共通プロトコルを提供するために、様々な電気通信規格において採用されている。例示的な電気通信規格は5G New Radio(NR)である。5G NRは、レイテンシ、信頼性、セキュリティ、スケーラビリティ(たとえば、モノのインターネット(IoT)との)に関連する新しい要件、および他の要件を満たすように、第3世代パートナーシッププロジェクト(3GPP)によって公表された継続的なモバイルブロードバンドの進化の一部である。5G NRのいくつかの態様は、4G Long Term Evolution(LTE)規格に基づくことがある。5G NR技術のさらなる改善の必要がある。これらの改善はまた、他の多元接続技術、およびこれらの技術を採用する電気通信規格にも適用可能であり得る。
【０００５】
狭帯域通信は、LTE通信に使用される周波数帯域幅と比較して限られた周波数帯域幅を用いて通信することを伴う。狭帯域通信の一例は狭帯域(NB)IoT(NB-IoT)通信であり、NB-IoT通信は、システム帯域幅の単一のリソースブロック(RB)、たとえば180kHzに制限される。狭帯域通信の別の例は、改良型マシンタイプ通信(eMTC:enhanced machine-type communication)であり、eMTCはシステム帯域幅の6個のRB、たとえば1.08MHzに制限される。
【発明の概要】
【発明が解決しようとする課題】
【０００６】
NB-IoT通信およびeMTCは、デバイスの複雑さを下げ、複数年の電池寿命を可能にし、建物の奥深くなどの難しい位置に到達するためのより深いカバレッジを提供し得る。狭帯域通信のために狭帯域TDDフレーム構造をサポートする必要がある。
【課題を解決するための手段】
【０００７】
以下で、1つまたは複数の態様の基本的理解を可能にするために、そのような態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００８】
狭帯域通信は、LTE通信に使用される周波数帯域幅と比較して限られた周波数帯域幅を用いて通信することを伴う。狭帯域通信の一例はNB-IoT通信であり、NB-IoT通信は、システム帯域幅の単一のRB、たとえば180kHzに制限される。狭帯域通信の別の例はeMTCあり、eMTCはシステム帯域幅の6個のRB、たとえば1.08MHzに制限される。
【０００９】
NB-IoT通信およびeMTCは、デバイスの複雑さを下げ、複数年の電池寿命を可能にし、建物の奥深くなどの難しい位置に到達するためのより深いカバレッジを提供し得る。しかしながら、狭帯域通信によって提供されるカバレッジは、難しい位置(たとえば、建物の地下に位置するスマートガスメーター)に到達することを含み得るので、1つまたは複数の送信が適切に受信されない確率が高まる。その結果、狭帯域通信は、送信を適切に復号させる確率を高めるために、所定の数の反復的な送信を含み得る。狭帯域通信のために狭帯域TDDフレーム構造をサポートする必要がある。
【００１０】
本開示は、狭帯域通信のための1つまたは複数の狭帯域TDDフレーム構造をサポートすることによる解決策を提供する。本開示のある態様では、方法、コンピュータ可読媒体、および装置が提供される。装置は、狭帯域通信のための狭帯域TDDフレーム構造を決定し得る。装置はまた、狭帯域物理アップリンク制御チャネル(NPUCCH)のために少なくとも1つのリソースユニット(RU)をUEに割り振るための、PUSCHフォーマットのグループのうちのあるPUSCHフォーマットを決定し得る。加えて、装置は、決定された物理アップリンク共有チャネル(PUSCH)フォーマットを使用して少なくとも1つのRUをUEに割り振ることができ、RUは1つまたは複数のスロットの各々の中の複数のサブキャリアを含む。
【００１１】
加えて、装置は、少なくとも所定の数の連続的なアップリンクサブフレームを含む狭帯域TDDフレーム構造を決定し得る。装置はまた、狭帯域PUSCH(NPUSCH)のために少なくとも1つのRUをユーザ機器(UE)に割り振る際に使用するための、第2の数のスロットの各々の中の第1の数のシンボルを決定し得る。一態様では、シンボルの第1の数およびスロットの第2の数は、所定の数の連続的なアップリンクサブフレームに基づき得る。装置は、少なくとも1つのRUをUEに割り振り得る。
【００１２】
さらなる態様では、装置は、連続的なアップリンクサブフレームの第1のセットを有する狭帯域TDDフレーム構造と関連付けられる情報を受信し得る。一態様では、連続的なアップリンクサブフレームの第1のセットは、第1の数のスロットを含み得る。装置はまた、連続的なアップリンクサブフレームの第1のセットの中の第1の数のスロットの少なくとも一部分を使用してアップリンク送信の第1の部分を送信することができ、アップリンク送信は、連続的なアップリンクサブフレームの第1のセットより長い継続時間を有する。
【００１３】
一態様では、装置は、狭帯域TDDフレーム構造と関連付けられる情報を受信し得る。装置はまた、第1のスクランブリングシーケンスを使用して、アップリンク送信を所定の回数送信し得る。一態様では、第1のスクランブリングシーケンスは、第1の無線フレームと関連付けられる第1の数の最下位ビット(LSB)を含み得る。別の態様では、第1の数のLSBは、狭帯域周波数分割複信(FDD)アップリンク送信と関連付けられる第2のスクランブリングシーケンスにおいて使用される第2の数のLSBより多くてよい。
【００１４】
さらなる態様では、装置は、狭帯域通信のための狭帯域TDDフレーム構造と関連付けられる情報を受信し得る。加えて、装置は、無線フレームの第1のセットおよび無線フレームの第2のセットにおいてアップリンク送信を反復することを決定し得る。装置は、無線フレームの第1のセットおよび無線フレームの第2のセットにおいてダウンリンクサブフレームを監視しないことを決定し得る。装置はまた、無線フレームの第1のセットまたは無線フレームの第2のセットのうちの1つまたは複数の中の少なくとも1つのダウンリンクサブフレームを使用して、タイミング推定または周波数推定のうちの1つまたは複数を実行し得る。
【００１５】
別の態様では、装置は、狭帯域通信のための狭帯域TDDフレーム構造と関連付けられる情報を受信し得る。加えて、装置は、狭帯域TDDフレーム構造を使用して、狭帯域サウンディング基準信号(NB-SRS)を基地局に送信し得る。
【００１６】
一態様では、装置は、狭帯域通信のための狭帯域TDDフレーム構造と関連付けられる情報を受信することができ、狭帯域TDDフレーム構造は連続的なアップリンクサブフレームのセットを含む。装置はまた、連続的なアップリンクサブフレームのセットの中のアップリンクサブフレームの数またはスロットの数のうちの少なくとも1つに基づいて、基準信号(RS)と関連付けられる直交シーケンス長を決定し得る。加えて、装置は、決定された直交シーケンス長を使用してRSを送信し得る。
【００１７】
さらなる態様では、装置は、狭帯域通信のための狭帯域TDDフレーム構造と関連付けられる情報を受信し得る。装置はまた、連続的なアップリンクサブフレームのセットの中のアップリンクサブフレームの数、スロットの数、または無線フレーム番号のうちの少なくとも1つに基づいて、RSと関連付けられるシーケンスホッピングパターンを決定し得る。加えて、装置は、決定されたシーケンスホッピングパターンを使用してRSを送信し得る。
【００１８】
別の態様では、装置は、狭帯域通信のための狭帯域TDDフレーム構造と関連付けられる情報を受信し得る。装置は、第1の狭帯域物理ランダムアクセスチャネル(NPRACH)プリアンブルの第1のシンボルグループを基地局に送信し得る。一態様では、第1のシンボルグループの第1の長さは、狭帯域TDDフレーム構造と関連付けられ得る。
【００１９】
一態様では、装置は、狭帯域通信のための狭帯域TDDフレーム構造と関連付けられる情報を受信し得る。別の態様では、装置は、狭帯域TDDフレーム構造におけるアップリンク機会に収まる、NPRACHプリアンブルと関連付けられる複数のシンボルグループの中の最大の数のシンボルグループを決定し得る。さらなる態様では、装置は、狭帯域TDDフレーム構造における第1のアップリンク機会の中のNPRACHプリアンブルと関連付けられる複数のシンボルグループの第1のサブセットと、狭帯域TDDフレーム構造における第2のアップリンク機会の中のNPRACHプリアンブルと関連付けられる複数のシンボルグループの第2のサブセットとを送信し得る。一態様では、第1のサブセットは、最大の数のシンボルグループを含み得る。別の態様では、第2のサブセットは、複数のシンボルグループまたは最大の数のシンボルグループの中の任意の残りのシンボルグループを含み得る。
【００２０】
別の態様では、装置は、狭帯域通信のための狭帯域TDDフレーム構造と関連付けられる情報を受信する。装置はまた、狭帯域TDDフレーム構造における第1のアップリンク機会において送信すべき、NPRACHプリアンブルの第1の数のシンボルグループを決定し得る。一態様では、第1の数のシンボルグループは、2つのシンボルグループまたは3つのシンボルグループのいずれかを含み得る。
【００２１】
さらなる態様では、装置は、狭帯域通信のための狭帯域TDDフレーム構造と関連付けられる情報を受信し得る。加えて、装置は、狭帯域TDDフレーム構造を使用して1つまたは複数のアップリンク機会において送信される、NPRACHのシンボルグループの2つのペアと関連付けられるホッピングパターンを決定し得る。
【００２２】
上記の目的および関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの均等物を含むものとする。
【図面の簡単な説明】
【００２３】
【図１】ワイヤレス通信システムおよびアクセスネットワークの例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワークの中のevolved Node B(eNB)およびユーザ機器(UE)の例を示す図である。
【図４Ａ】本開示のいくつかの態様による例示的な狭帯域TDDフレーム構造を示す図である。
【図４Ｂ】本開示のいくつかの態様による例示的な狭帯域PUSCHフォーマットを示す図である。
【図４Ｃ】本開示のいくつかの態様による例示的な狭帯域サブキャリア周波数間隔を示す図である。
【図５Ａ】本開示のいくつかの態様による、狭帯域TDDフレーム構造を使用した狭帯域通信をサポートし得る狭帯域通信システムのデータフローを示す図である。
【図５Ｂ】本開示のいくつかの態様による、狭帯域TDDフレーム構造を使用した狭帯域通信をサポートし得る狭帯域通信システムのデータフローを示す図である。
【図６】本開示のいくつかの態様による、狭帯域TDDフレーム構造を使用した狭帯域通信をサポートし得る狭帯域通信システムのデータフローを示す図である。
【図７】本開示のいくつかの態様による、狭帯域TDDフレーム構造を使用した狭帯域通信をサポートし得る狭帯域通信システムのデータフローを示す図である。
【図８】本開示のいくつかの態様による、狭帯域TDDフレーム構造を使用した狭帯域通信をサポートし得る狭帯域通信システムのデータフローを示す図である。
【図９Ａ】本開示のいくつかの態様による、狭帯域TDDフレーム構造を使用した狭帯域通信をサポートし得る狭帯域通信システムのデータフローを示す図である。
【図９Ｂ】本開示のいくつかの態様によるSRSおよび/またはNB-SRSを送信するために使用され得るコム構造を示す図である。
【図１０Ａ】本開示のいくつかの態様による、狭帯域TDDフレーム構造を使用した狭帯域通信をサポートし得る狭帯域通信システムのデータフローを示す図である。
【図１０Ｂ】本開示のいくつかの態様による、狭帯域TDDフレーム構造を使用した狭帯域通信をサポートし得る狭帯域通信システムのデータフローを示す図である。
【図１１】本開示のいくつかの態様による、狭帯域TDDフレーム構造を使用した狭帯域通信をサポートし得る狭帯域通信システムのデータフローを示す図である。
【図１２】本開示のいくつかの態様による、狭帯域TDDフレーム構造を使用した狭帯域通信をサポートし得る狭帯域通信システムのデータフローを示す図である。
【図１３】本開示のいくつかの態様による、狭帯域TDDフレーム構造を使用した狭帯域通信をサポートし得る狭帯域通信システムのデータフローを示す図である。
【図１４】本開示のいくつかの態様による、狭帯域TDDフレーム構造を使用した狭帯域通信をサポートし得る狭帯域通信システムのデータフローを示す図である。
【図１５】ワイヤレス通信の方法のフローチャートである。
【図１６】ワイヤレス通信の方法のフローチャートである。
【図１７】例示的な装置の中の異なる手段/構成要素間のデータフローを示す概念データフロー図である。
【図１８】処理システムを利用する装置のハードウェア実装形態の例を示す図である。
【図１９Ａ】ワイヤレス通信の方法のフローチャートである。
【図１９Ｂ】ワイヤレス通信の方法のフローチャートである。
【図２０】ワイヤレス通信の方法のフローチャートである。
【図２１】ワイヤレス通信の方法のフローチャートである。
【図２２】ワイヤレス通信の方法のフローチャートである。
【図２３】ワイヤレス通信の方法のフローチャートである。
【図２４】ワイヤレス通信の方法のフローチャートである。
【図２５】ワイヤレス通信の方法のフローチャートである。
【図２６】ワイヤレス通信の方法のフローチャートである。
【図２７】ワイヤレス通信の方法のフローチャートである。
【図２８】ワイヤレス通信の方法のフローチャートである。
【図２９】例示的な装置の中の異なる手段/構成要素間のデータフローを示す概念データフロー図である。
【図３０】処理システムを利用する装置のハードウェア実装形態の例を示す図である。
【図３１】例示的な装置の中の異なる手段/構成要素間のデータフローを示す概念データフロー図である。
【図３２】処理システムを利用する装置のハードウェア実装形態の例を示す図である。
【図３３】例示的な装置の中の異なる手段/構成要素間のデータフローを示す概念データフロー図である。
【図３４】処理システムを利用する装置のハードウェア実装形態の例を示す図である。
【図３５】例示的な装置の中の異なる手段/構成要素間のデータフローを示す概念データフロー図である。
【図３６】処理システムを利用する装置のハードウェア実装形態の例を示す図である。
【発明を実施するための形態】
【００２４】
添付の図面に関して以下に記載される発明を実施するための形態は、様々な構成の説明として意図され、本明細書で説明される概念が実践され得る唯一の構成を表すことは意図されない。詳細な説明は、様々な概念の完全な理解を可能にすることを目的として具体的な詳細を含む。しかしながら、これらの概念はこれらの具体的な詳細なしに実践され得ることが、当業者には明らかであろう。いくつかの事例では、そのような概念を不明瞭にすることを回避するために、よく知られている構造および構成要素がブロック図の形態で示される。
【００２５】
ここで、電気通信システムのいくつかの態様が、様々な装置および方法を参照して提示される。これらの装置および方法は、以下の発明を実施するための形態において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるか、またはソフトウェアとして実装されるかは、具体的な適用例および全体的なシステムに課される設計制約に依存する。
【００２６】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２７】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備え得る。
【００２８】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、Evolved Packet Core(EPC)160とを含む。基地局102は、マクロセル(高電力セルラー基地局)および/またはスモールセル(低電力セルラー基地局)を含むことがある。マクロセルは基地局を含む。スモールセルは、フェムトセル、ピコセル、およびマイクロセルを含む。
【００２９】
(Evolved Universal Mobile Telecommunications System(UMTS) Terrestrial Radio Access Network(E-UTRAN)と総称される)基地局102は、バックホールリンク132(たとえば、S1インターフェース)を通じてEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信という機能のうちの、1つまたは複数を実行することができる。基地局102は、バックホールリンク134(たとえば、X2インターフェース)上で互いに直接または(たとえば、EPC160を介して)間接的に通信することができる。バックホールリンク134は有線またはワイヤレスであり得る。
【００３０】
基地局102は、UE104とワイヤレスに通信し得る。基地局102の各々は、それぞれの地理的カバレッジエリア110に通信カバレッジを提供し得る。重複する地理的カバレッジエリア110が存在することがある。たとえば、スモールセル102'は、1つまたは複数のマクロ基地局102のカバレッジエリア110と重複するカバレッジエリア110'を有することがある。スモールセルとマクロセルの両方を含むネットワークは、異種ネットワークとして知られていることがある。異種ネットワークは、限定加入者グループ(CSG)として知られる限定グループにサービスを提供し得るHome Evolved Node B(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用し得る。通信リンクは、1つまたは複数のキャリアを介することがある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20、100MHz)までの帯域幅のスペクトルを使用することができる。キャリアは、互いに隣接することも、隣接しないこともある。キャリアの割振りは、DLおよびULに対して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含み得る。1次コンポーネントキャリアは1次セル(PCell)と呼ばれることがあり、2次コンポーネントキャリアは2次セル(SCell)と呼ばれることがある。
【００３１】
いくつかのUE104は、デバイスツーデバイス(D2D)通信リンク192を使用して、互いに通信し得る。D2D通信リンク192は、DL/UL WWANスペクトルを使用し得る。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)などの、1つまたは複数のサイドリンクチャネルを使用し得る。D2D通信は、たとえば、FlashLinQ、WiMedia、Bluetooth(登録商標)、ZigBee、IEEE 802.11規格に基づくWi-Fi、LTE、またはNRなどの、様々なワイヤレスD2D通信システムを通じたものであり得る。
【００３２】
ワイヤレス通信システムは、5GHzの免許不要周波数スペクトルにおいて通信リンク154を介してWi-Fi局(STA)152と通信しているWi-Fiアクセスポイント(AP)150をさらに含むことがある。免許不要周波数スペクトルにおいて通信するとき、STA152/AP150は、チャネルが利用可能であるかどうかを決定するために、通信するより前にクリアチャネルアセスメント(CCA)を実行することができる。
【００３３】
スモールセル102'は、免許周波数スペクトルおよび/または免許不要周波数スペクトルにおいて動作し得る。免許不要周波数スペクトルにおいて動作しているとき、スモールセル102'は、NRを利用し、Wi-Fi AP150によって使用されるのと同じ5GHzの免許不要周波数スペクトルを使用し得る。免許不要周波数スペクトルにおいてNRを利用するスモールセル102'は、アクセスネットワークへのカバレッジを拡大し、かつ/またはアクセスネットワークの容量を増やすことができる。
【００３４】
gNodeB(gNB)180は、UE104と通信するときにミリメートル波(mmW)周波数および/または準mmW周波数(near mmW frequency)で動作し得る。gNB180がmmW周波数または準mmW周波数で動作するとき、gNB180はmmW基地局と呼ばれ得る。極高周波数(EHF:extremely high frequency)は、電磁スペクトルにおけるRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短い範囲を補償するために、UE104に対してビームフォーミング184を利用し得る。
【００３５】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含み得る。MME162は、ホーム加入者サーバ(HSS)174と通信していることがある。MME162は、UE104とEPC160との間のシグナリングを処理する制御ノードである。一般に、MME162はベアラと接続管理とを提供する。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含み得る。BM-SC170は、MBMSユーザサービスのプロビジョニングおよび配信のための機能を提供することができる。BM-SC170は、コンテンツプロバイダMBMS送信のためのエントリポイントとして働くことがあり、公衆陸上移動網(PLMN)内のMBMSベアラサービスを認可および開始するために使用されることがあり、MBMS送信をスケジュールするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００３６】
基地局は、gNB、Node B、eNB、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104のためにEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、大型または小型の調理家電、健康管理デバイス、インプラント、ディスプレイ、または任意の他の同様の機能デバイスがある。UE104の一部は、IoTデバイス(たとえば、パーキングメーター、ガスポンプ、トースター、車両、心臓モニタなど)と呼ばれ得る。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００３７】
図1を再び参照すると、いくつかの態様では、基地局102および/またはUE104は、たとえば図4A〜図36のいずれかに関連して以下で説明されるように、狭帯域通信のための1つまたは複数の狭帯域TDDフレーム構造をサポートするように構成され得る(198)。
【００３８】
図2Aは、LTEにおけるDLフレーム構造の例を示す図200である。図2Bは、LTEにおけるDLフレーム構造内のチャネルの例を示す図230である。図2Cは、LTEにおけるULフレーム構造の例を示す図250である。図2Dは、LTEにおけるULフレーム構造内のチャネルの例を示す図280である。他のワイヤレス通信技術は、異なるフレーム構造および/または異なるチャネルを有することがある。LTEでは、フレーム(10ms)は、10個の等しいサイズのサブフレームに分割されることがある。各サブフレームは、2つの連続するタイムスロットを含むことがある。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。LTEでは、ノーマルサイクリックプレフィックスの場合、RBは、合計で84個のREについて、周波数領域に12個の連続するサブキャリアを含み、時間領域に7つの連続するシンボル(DLの場合はOFDMシンボル、ULの場合はSC-FDMAシンボル)を含む。拡張サイクリックプレフィックスの場合、RBは、合計で72個のREについて、周波数領域に12個の連続するサブキャリアを含み、時間領域に6個の連続するシンボルを含む。各REによって搬送されるビット数は、変調方式に依存する。
【００３９】
図2Aに示されるように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含み得る。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用されるPSSを搬送する。2次同期チャネル(SSCH)は、フレームのサブフレーム0および5内のスロット0のシンボル5内にあり、物理レイヤセル識別情報グループ番号を決定するためにUEに
よって使用されるSSSを搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスター情報ブロック(MIB)を搬送する。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通して送信されないブロードキャストシステム情報と、ページングメッセージとを搬送する。
【００４０】
図2Cに示されるように、REのうちのいくつかは、eNBにおけるチャネル推定のための復調基準信号(DM-RS)を搬送する。UEは追加で、サブフレームの最終シンボルにおいてサウンディング基準信号(SRS)を送信することがある。SRSはコム構造を有することがあり、UEはコムのうちの1つの上でSRSを送信することがある。SRSは、eNBによって、UL上での周波数依存スケジューリングを可能にするために、チャネル品質推定のために使用されることがある。図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含み得る。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００４１】
図3は、アクセスネットワークの中でUE350と通信しているeNB310のブロック図である。DLでは、EPC160からのIPパケットがコントローラ/プロセッサ375に提供され得る。コントローラ/プロセッサ375は、レイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成と関連付けられるRRCレイヤ機能と、ヘッダ圧縮/解凍、セキュリティ(暗号化、解読、完全性保護、完全性検証)、およびハンドオーバーサポート機能と関連付けられるPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けと関連付けられるMACレイヤ機能とを提供する。
【００４２】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個の送信機318TXを介して異なるアンテナ320に提供されることがある。各送信機318TXは、送信のためにそれぞれの空間ストリームでRFキャリアを変調することがある。
【００４３】
UE350において、各受信機354RXは、受信機のそれぞれのアンテナ352を通じて信号を受信する。各受信機354RXは、RFキャリア上に変調された情報を復元し、その情報を受信(RX)プロセッサ356に提供する。TXプロセッサ368およびRXプロセッサ356は、様々な信号処理機能と関連付けられるレイヤ1機能を実装する。RXプロセッサ356は、UE350に宛てられたあらゆる空間ストリームを復元するために、情報に対して空間処理を実行することができる。複数の空間ストリームがUE350に宛てられる場合、複数の空間ストリームは、RXプロセッサ356によって単一のOFDMシンボルストリームへと合成されることがある。次いで、RXプロセッサ356は、高速フーリエ変換(FFT)を使用して、OFDMAシンボルストリームを時間領域から周波数領域に変換する。周波数領域信号は、OFDM信号の各サブキャリアに対して別々のOFDMシンボルストリームを備える。各サブキャリア上のシンボルおよび基準信号は、eNB310によって送信される、可能性が最も高い信号のコンスタレーションポイントを決定することによって復元および復調される。これらの軟判定は、チャネル推定器358によって算出されたチャネル推定値に基づくことがある。軟判定は、次いで、物理チャネル上でeNB310によって最初に送信されたデータおよび制御信号を復元するために復号およびデインターリーブされる。データおよび制御信号は、次いで、レイヤ3およびレイヤ2の機能を実装するコントローラ/プロセッサ359に提供される。
【００４４】
コントローラ/プロセッサ359は、プログラムコードとデータとを記憶するメモリ360と関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、ACKおよび/またはNACKプロトコルを使用してHARQ動作をサポートする誤り検出を担う。
【００４５】
eNB310によるDL送信に関して説明された機能と同様に、コントローラ/プロセッサ359は、システム情報(たとえば、MIB、SIB)収集、RRC接続、および測定報告と関連付けられるRRCレイヤ機能と、ヘッダ圧縮/解凍およびセキュリティ(暗号化、解読、完全性保護、完全性検証)と関連付けられるPDCPレイヤ機能と、上位レイヤPDUの転送、ARQを通じた誤り訂正、RLC SDUの連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、TB上へのMAC SDUの多重化、TBからのMAC SDUの逆多重化、スケジューリング情報報告、HARQを通じた誤り訂正、優先度処理、および論理チャネル優先度付けと関連付けられるMACレイヤ機能とを提供する。
【００４６】
eNB310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用され得る。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００４７】
UL送信は、UE350における受信機機能に関して説明された方式と同様の方式で、eNB310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００４８】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供されることがある。コントローラ/プロセッサ375はまた、ACKおよび/またはNACKプロトコルを使用してHARQ動作をサポートする誤り検出を担う。
【００４９】
狭帯域通信は、LTE通信に使用される周波数帯域幅と比較して限られた周波数帯域幅を用いて通信することを伴う。狭帯域通信の一例はNB-IoT通信であり、NB-IoT通信は、システム帯域幅の単一のRB、たとえば180kHzに制限される。狭帯域通信の別の例はeMTCであり、eMTCは、システム帯域幅の6つのRBに制限される。
【００５０】
NB-IoT通信およびeMTCは、デバイスの複雑さを下げ、複数年の電池寿命を可能にし、建物の奥深くなどの難しい位置に到達するためのより深いカバレッジを提供し得る。しかしながら、狭帯域通信によって提供されるカバレッジは、難しい位置(たとえば、建物の地下に位置するスマートガスメーター)に到達することを含み得るので、1つまたは複数の送信が適切に受信されない確率が高まる。その結果、狭帯域通信は、送信を適切に復号させる確率を高めるために、所定の数の反復的な送信を含み得る。狭帯域通信のために狭帯域TDDフレーム構造をサポートする必要がある。
【００５１】
本開示は、狭帯域TDDフレーム構造を使用するNPDCCH送信、NPDSCH送信、NPUCCH送信、および/またはNPUSCH送信をサポートすることによる解決策を提供する。
【００５２】
図4Aは、本開示のいくつかの態様による、狭帯域通信のために使用され得る狭帯域TDDフレーム構造400を示す図である。ある態様では、狭帯域TDDフレーム構造400は、表410に列挙される狭帯域TDDフレーム構造のグループ(たとえば、構成0〜構成o)から決定され得る。たとえば、基地局は、ネットワークから受信されたより高次のレイヤのシグナリング(たとえば、RRCメッセージング)に基づいて狭帯域TDDフレーム構造を決定し得る。加えて、かつ/または代わりに、基地局は、チャネル条件に基づいて狭帯域TDDフレーム構造を決定し得る。
【００５３】
一態様では、狭帯域TDDフレーム構造400は、各々5msの長さの2つの半分のフレームへと分割される10msのフレームを含み得る。半分のフレームはさらに、各々1msの長さの5つのサブフレームへと分割され得る。狭帯域TDDフレーム構造400は、表410に列挙される狭帯域構成のいずれか1つを含み得る。
【００５４】
切替え周期は、UEが(たとえば、基地局からのダウンリンク送信について)ダウンリンクサブフレームを監視することとアップリンクサブフレームを使用して送信を送信することを切り替えるために、またはその逆を行うために必要とし得る、時間を指す。決定された狭帯域TDDフレーム構造400に応じて、切替え周期は、5ms、10ms、または10ms以上(たとえば、20ms)であり得る。切替え周期が5msである狭帯域TDDフレーム構造412では、狭帯域TDDフレーム構造400の両方の半分のフレームに、特別サブフレーム(SSF)が存在し得る。切替え周期が10msである狭帯域TDDフレーム構造414では、特別サブフレームは、第1の半分のフレームに存在することがあるが、第2の半分のフレームには存在しないことがある。切替え周期が10msより長い狭帯域TDDフレーム構造416では、特別サブフレームは、DLからULに切り替えるときにのみ存在することがあり、したがってすべてのフレームで存在するとは限らない。特別サブフレームを含む狭帯域TDDフレーム構造412、414(たとえば、構成0、1、2、3、4、5、および6)では、サブフレーム0および5ならびに特別サブフレームの中のダウンリンクパイロットタイムスロット(DwPTS)が、ダウンリンク送信のために確保され得る。加えて、かつ/または代わりに、特別サブフレームを含む狭帯域TDDフレーム構造412、414では、特別サブフレームの中のアップリンクパイロットタイムスロット(UpPTS)および特別サブフレームの直後のサブフレームが、アップリンク送信のために確保され得る。
【００５５】
インバンドモードおよび/またはガードバンドモードで動作するとき、狭帯域TDDフレーム構造400は、いくつかのLTE TDDフレーム構造(たとえば、図4Aの構成0、1、2、3、4、5、6参照)を再使用し得る。加えて、かつ/または代わりに、狭帯域TDDフレーム構造400の中のいくつかのサブフレームは、フレキシブルサブフレームとしてマークされることがあり(たとえば、図4Aの構成lおよびo参照)、基地局から受信される現在のグラントに応じて、UEによってダウンリンクサブフレームまたはアップリンクサブフレームのいずれかとして使用されることがある。
【００５６】
いくつかの態様では、図4Aの表410に列挙される狭帯域TDD構成のサブセットは、狭帯域通信をサポートするために使用され得る。たとえば、構成0は2つのダウンリンクサブフレームしか有しないので、構成0は狭帯域通信には適さないことがある。一構成では、狭帯域TDDフレーム構造を使用する狭帯域通信は、インバンドモードおよび/またはガードバンドモードにおいてのみサポートされる(たとえば、スタンドアロンモードではサポートされない)ことがある。別の構成では、狭帯域TDDフレーム構造を使用する狭帯域通信は、インバンドモード、ガードバンドモード、およびスタンドアロンモードをサポートし得る。
【００５７】
加えて、複数の狭帯域ダウンリンクキャリアおよび複数の狭帯域アップリンクキャリアが、基地局とUEとの間の狭帯域通信を強化するために使用され得る。キャリアの中でも、狭帯域アンカーキャリアが、マルチキャリア対応UEのために同期、システム情報、ページング、データ、および制御を提供するために使用され得る。したがって、狭帯域システム情報のオーバーヘッドが減り得る。たとえば、いくつかのセルのための同期およびページングは、すべての狭帯域キャリアでは提供されないことがある。同期および/またはページングを提供しない狭帯域キャリアは、狭帯域ノンアンカーキャリアと呼ばれ得る。干渉を軽減するアンカーキャリアの選択のための、およびノンアンカーキャリアのための送信電力制御のための基地局間の協調は、ネットワーク性能にさらなる利点をもたらす。
【００５８】
図4Bは、本開示のいくつかの態様による、狭帯域通信のために使用され得る無線フレーム430を示す図である。
【００５９】
図4Cは、本開示のいくつかの態様による、15kHzのサブキャリア間隔480をもつ10msのフレームと、7.5kHzのサブキャリア間隔470をもつ20msのフレームと、3.75kHzの間隔460をもつ40msのフレームとを示す図である。
【００６０】
図4Bおよび図4Cを参照すると、無線フレーム430は、サブキャリア間隔に応じて、10msフレーム、20msフレーム、または40msフレームを含み得る。たとえば、10msフレームは15kHzのサブキャリア間隔を有し得る(たとえば、図4Cの項目480参照)。加えて、20msフレームは7.5kHzのサブキャリア間隔を有し得る(図4Cの項目470参照)。さらに、40msフレームは3.75kHzの間隔を有し得る(図4Cの項目460参照)。
【００６１】
いくつかの構成では、無線フレーム430は、各々2つのスロットからなる10個のサブフレームへと分割され得る。スロットの各々は、フレームが10msフレームであるか、20msフレームであるか、または40msフレームであるかに応じて、x/20msの長さであり得る。一態様では、xはフレームの長さ(たとえば、10ms、20ms、または40ms)に等しいことがある。言い換えると、10msフレームの中の各スロット(たとえば、15kHzのサブキャリア間隔)は継続時間が0.5msであることがあり、20msフレームの中の各スロット(たとえば、7.5kHzのサブキャリア間隔)は継続時間が1msであることがあり、40msフレームの中の各スロット(たとえば、3.75kHzのサブキャリア間隔)は継続時間が2msであることがある。
【００６２】
図4Bを参照すると、各スロットは、同じサブキャリア間隔(たとえば、3.75kHz、7.5kHz、または15kHz)およびNsymb個の直交周波数分割多重(OFDM)シンボル(たとえば、7個のOFDMシンボル)を各々有するNNB個のサブキャリアへと分割され得る。
【００６３】
UEからの1つまたは複数のアップリンク送信にリソースを割り振るために、様々なNPUSCHフォーマットが基地局によって使用され得る。たとえば、基地局は、アップリンクデータ送信(たとえば、NPUSCH)にリソースを割り振るために、NPUSCHフォーマット1を使用し得る。ダウンリンク送信への肯定応答(たとえば、NPUCCHまたはACK/NACK)のためのリソースがUEに割り振られるとき、NPUSCHフォーマット2が使用され得る。たとえば、基地局がNPDCCHを送信するとき、NPUSCHフォーマット2は、UEからのACK/NACK応答にリソースを割り振るために使用され得る。NPUSCH、NPUCCH、および/またはACK/NACKのいずれかにトランスポートブロック(TB)をマッピングするために基地局が使用し得る最小の単位は、リソースユニット(RU)であり得る。
【００６４】
レガシーNPUSCHフォーマット2(たとえば、FDD NB-IoTシステムにおける)では、RUは長さが4スロットの単一のサブキャリアで構成され得る。その結果、3.75kHzのサブキャリア間隔では、RUは8msの継続時間を有し、15kHzのサブキャリア間隔では、RUは2msの継続時間を有する。RUが単一のサブキャリアにおいて割り振られる、レガシーNPUSCHフォーマット2の例が、図4Bのスロット構造440において示される。
【００６５】
いくつかの狭帯域TDDフレーム構造は、少数のアップリンクサブフレームしか含まないことがある(たとえば、1つのアップリンクサブフレームしか有しない図4Aの構成5参照)。構成5が狭帯域TDDフレーム構造のために使用されるとき、UEは、信号対雑音比(SNR)が良好な状況であっても、第1の無線フレームの中の1つのアップリンクサブフレーム(たとえば、2つのスロット)において、および第2の無線フレームの中の別のアップリンクサブフレーム(たとえば、2つのスロット)においてアップリンク送信を送信し得る。異なる無線フレームにわたって送信されるアップリンク送信は、チャネル条件の変化を経験することがあり、基地局は、異なる無線フレームにわたって送信されるアップリンク送信を適切に復号することが可能ではないことがある。加えて、異なる無線フレームにわたってアップリンク送信を送信することはまた、チャネルを復号する際に大きな遅延をもたらすことがある。狭帯域TDDフレーム構造の中の異なる無線フレームにわたって受信されるアップリンク送信が基地局によって適切に復号され得るように、レガシーのNPUSCHフォーマット2を修正する必要がある。
【００６６】
基地局における適切な復号の確率を高めるために、本開示は、図4Bのスロット構造450に示されるように、複数のスロットにまたがる複数のサブキャリアにおいてRUを割り振るために使用され得る、修正されたNPUSCHフォーマット2構造を提供する。図4Bでは4つのサブキャリアがRUに割り振られるものとして示されているが、本開示の範囲から逸脱することなく、RUを割り振るために2つ以上の任意の数のサブキャリアが使用され得る。
【００６７】
RUを割り振るために使用されるキャリアの数を増やすことによって、基地局は、異なる無線フレームにわたって送信されるアップリンク送信を適切に復号する確率がより高まることがあり、それは、各スロットの中のより多くのリソース要素がアップリンク送信を搬送するために使用され得るからであり、かつ/または、複数のサブキャリアにまたがって割り振られるリソース要素の数が増えることにより、RUが1つまたは2つのスロットにおいて割り振られ得るので、いくつかの場合には、不連続な部分(たとえば、複数の無線フレームにわたる)へとアップリンク送信を分割することが避けられるからである。
【００６８】
リソースユニット
図5Aは、本開示のいくつかの態様による、アップリンク送信(たとえば、NPUCCHおよび/またはACK/NACK)のために1つまたは複数のRUをUE504に割り振るための、基地局502のデータフロー500を示す。基地局502は、たとえば、基地局102、180、602、702、802、902、1002、1102、1202、1302、1402、3150、3350、3550、eNB310、装置1702/1702'に相当し得る。UE504は、たとえば、UE104、350、604、704、804、904、1004、1104、1204、1304、1404、装置2902/2902'、3102/3102'、3302/3302'、3502/3502'に相当し得る。加えて、基地局502およびUE504は、狭帯域通信(たとえば、NB-IoTおよび/またはeMTC)を使用して通信するように構成され得る。たとえば、UE504は、NB-IoTデバイスおよび/またはeMTCデバイスであり得る。
【００６９】
一態様では、基地局502は、狭帯域通信のための狭帯域TDDフレーム構造を決定し得る(501)。たとえば、基地局502は、狭帯域TDDフレーム構造が図4Aの表410からの構成0、1、2、3、4、5、6、l、またはoのうちの1つであることを決定し得る(501)。
【００７０】
加えて、基地局502は、NPUCCH(たとえば、ACK/NACK)のために少なくとも1つのRUをUE504に割り振るために、PUSCHフォーマット(たとえば、NPUSCHフォーマット2または修正されたPUSCHフォーマット2)を決定し得る(503)。たとえば、基地局502は、1つまたは複数のスロットの中の1つまたは複数のサブキャリアにまたがるNPUCCHのために1つまたは複数のRUをUE504に割り振るために、修正されたNPUSCHフォーマット2(たとえば、図4Bの450参照)を使用することを決定し得る。いくつかの構成では、PUSCHフォーマットを決定することは、狭帯域TDDフレーム構造の中のアップリンクサブフレームの数に基づき得る。いくつかの他の構成では、1つまたは複数のスロットの各々の中の1つまたは複数のサブキャリアの数は、狭帯域TDDフレーム構造の中のアップリンクサブフレームの数に対応し得る。いくつかの他の構成では、1つまたは複数のスロットの各々の中の1つまたは複数のサブキャリアの数は、最大送信遅延またはラウンドトリップタイムラインに対応し得る。いくつかの他の構成では、1つまたは複数のスロットの各々の中の1つまたは複数のサブキャリアの数は、所定の数のスロットにおいて決定されたPUSCHフォーマットを送信するために使用されるRUの数に対応し得る。
【００７１】
別の態様では、基地局502は、決定されたPUSCHフォーマットを使用して少なくとも1つのRUをUE504に割り振り得る(505)。一態様では、RUは、1つまたは複数のスロットの各々の中の1つまたは複数のサブキャリアを含み得る。別の態様では、複数のサブキャリアの各々は、3.75kHz、5kHz、7.5kHz、または15kHzの関連するサブキャリア周波数間隔を有し得る。たとえば、基地局502は、NPUCCHのために1つまたは複数のスロット(たとえば、4つのスロット)の中の1つまたは複数のサブキャリアをUE504に割り振り得る。狭帯域TDDフレーム構造のサブキャリア間隔が3.75kHzである場合、基地局502は、単一のスロットまたは2つのスロットのいずれかにおいて、1つまたは複数のRUを割り振り得る。いくつかの構成では、関連するサブキャリア周波数間隔は、スロット継続時間に対応し得る。
【００７２】
加えて、基地局502は、NPUSCHフォーマットと、NPUCCHのためにUE504に割り振られるRUとを示す、情報507を送信し得る。たとえば、情報507は、RUを割り振るためにNPUSCHフォーマット2が使用されるか、または修正されたPUSCHフォーマット2が使用されるかを示し得る。この情報は、NPUSCHフォーマット2が決定されたPUSCHフォーマットであるときにRUがどれだけのサブキャリアを占有するかを示し得る。一態様では、情報507はDCIにおいて送信され得る。
【００７３】
図5Bは、本開示のいくつかの態様による、アップリンク送信(たとえば、NPUSCH)のために1つまたは複数のRUをUE504に割り振るための、基地局502のデータフロー550を示す。基地局502は、たとえば、基地局102、180、602、702、802、902、1002、1102、1202、1302、1402、3150、3350、3550、eNB310、装置1702/1702'に相当し得る。UE504は、たとえば、UE104、350、604、704、804、904、1004、1104、1204、1304、1404、装置2902/2902'、3102/3102'、3302/3302'、3502/3502'に相当し得る。加えて、基地局502およびUE504は、狭帯域通信(たとえば、NB-IoTおよび/またはeMTC)を使用して通信するように構成され得る。たとえば、UE504は、NB-IoTデバイスおよび/またはeMTCデバイスであり得る。
【００７４】
一態様では、基地局502は、少なくとも所定の数の連続的なアップリンクサブフレームを含む狭帯域TDDフレーム構造を決定し得る(509)。一態様では、所定の数のサブフレームは、各々長さが1msである3つの連続的なアップリンクサブフレームを含み得る(たとえば、15kHzのサブキャリア間隔)。たとえば、基地局502は、所定の数の連続的なアップリンクサブフレームが3つの連続的なアップリンクサブフレームであるとき、狭帯域TDDフレーム構造が図4Aの表410からの構成0または6のうちの1つであることを決定し得る(509)。別の態様では、所定の数の連続的なアップリンクサブフレームは、2つの連続的なアップリンクサブフレームまたは3つより多くの連続的なアップリンクサブフレームを含み得る。
【００７５】
別の態様では、基地局502は、NPUSCHのために少なくとも1つのRUをUE504に割り振る際に使用すべき、第2の数のスロットの各々の中の第1の数のシンボルを決定し得る(511)。一態様では、シンボルの第1の数およびスロットの第2の数は、所定の数の連続的なアップリンクサブフレームに基づき得る。別の態様では、第2の数のスロットの中の各スロットは、3.75kHz、5kHz、7.5kHz、または15kHzの関連するサブキャリア周波数間隔を有し得る。さらなる態様では、サブキャリア周波数間隔は、狭帯域TDDサブフレーム構造のために使用される構成に依存し得る。いくつかの構成では、第2の数のスロットは6個のスロットを含み得る。いくつかの他の構成では、第2の数のスロットは10個のスロットを含み得る。
【００７６】
レガシーのRU割振りは、2スロット(たとえば、1つのアップリンクサブフレーム)、4スロット(2つのアップリンクサブフレーム)、8スロット(たとえば、4つのアップリンクサブフレーム)、および/または16スロット(たとえば8つのアップリンクサブフレーム)の単位であり得る。各スロットは7個のOFDMシンボルを有し得る。継続時間が3msである(たとえば、15kHzのサブキャリア間隔)3つの連続的なアップリンクサブフレーム(たとえば、6スロット)にまたがってRUが狭帯域TDDフレーム構造において割り振られるとき、レガシーのRU割振り単位を使用すると、リソースが使用されないままになることがある。たとえば、6つの連続するULスロットという継続時間を伴うTDD構成のために、4スロットのレガシーのRU割振りが使用され得る。6スロットのリソースという継続時間を伴うRUに4つのスロットを割り振ると、利用可能なULスロットの第5のスロットおよび第6のスロットの中のリソースが使用されないままになり得る。
【００７７】
第1の構成では、構成0または3が狭帯域TDDフレーム構造3として使用されるとき、継続時間が3msの3つの連続的なアップリンクサブフレームが、各無線フレームに配置される。言い換えると、アップリンク送信のために、各無線フレームにおいて6つのアップリンクスロットが利用可能であり得る。したがって、RU割振りは6個のスロット(たとえば、各々7個のOFDMシンボルを伴う)を含むことがあり、これにより、レガシーのRU割振り単位を使用する場合よりも効率的に、各無線フレームの中の利用可能なアップリンクリソースを使用することができる。
【００７８】
第2の構成では、構成6が狭帯域TDDフレーム構造として使用されるとき、3つの連続するサブフレーム(たとえば、6個のスロット)が無線フレームの第1の半分のフレームに配置され、2つの連続的なアップリンクサブフレーム(たとえば、4個のスロット)が無線フレームの第2の半分のフレームに配置される。言い換えると、アップリンク送信のために、各無線フレームにおいて10個のアップリンクスロットが利用可能であり得る。したがって、RU割振りは10個のスロット(たとえば、各々7個のOFDMシンボルを伴う)を含むことがあり、これにより、レガシーのRU割振り単位を使用する場合よりも効率的に、各無線フレームの中の利用可能なアップリンクリソースを使用することができる。
【００７９】
第3の構成では、サブキャリア間隔が3.75kHzであるアップリンクサブフレームがRU割振りに使用されるとき、RU割振り単位は、16個より多数または少数のスロット(たとえば、各々7個のOFDMシンボルを伴う)を含み得る。16個より多数または少数のスロットのRU割振りは、レガシーのRU割振り単位を使用する場合よりも効率的に、各無線フレームの中の利用可能なアップリンクリソースを使用することができる。
【００８０】
さらなる態様では、基地局502は、少なくとも1つのRUをUE504に割り振り得る(513)。一態様では、RUは、1つまたは複数のスロットの各々の中の単一のサブキャリアまたは複数のサブキャリアを含み得る。別の態様では、複数のサブキャリアの各々は、3.75kHz、5kHz、7.5kHz、または15kHzの関連するサブキャリア周波数間隔を有し得る。たとえば、基地局502は、NPUSCHのために6個のスロットの中の2つ以上のサブキャリアをUE504に割り振り得る。
【００８１】
加えて、基地局502は、NPUSCHのためにUE504に割り振られるRUを示す情報515を送信し得る。たとえば、情報515はDCIにおいて送信され得る。
【００８２】
アップリンク送信
図6は、本開示のいくつかの態様による、UE604から基地局602に送信されるアップリンク送信のデータフロー600を示す。基地局602は、たとえば、基地局102、180、502、702、802、902、1002、1102、1202、1302、1402、3150、3350、3550、eNB310、装置1702/1702'に相当し得る。UE604は、たとえば、UE104、350、504、704、804、904、1004、1104、1204、1304、1404、装置2902/2902'、3102/3102'、3302/3302'、3502/3502'に相当し得る。加えて、基地局602およびUE604は、狭帯域通信(たとえば、NB-IoTおよび/またはeMTC)を使用して通信するように構成され得る。たとえば、UE604は、NB-IoTデバイスおよび/またはeMTCデバイスであり得る。
【００８３】
一態様では、UE604は、第1の数のスロットを伴う連続的なアップリンクサブフレームの第1のセットを有する狭帯域TDDフレーム構造と関連付けられる情報601を受信し得る。たとえば、狭帯域TDDフレーム構造は、連続的なアップリンクサブフレームを各々含む、図4Aの表410からの構成0、1、3、4、または6のうちの1つであり得る。一態様では、狭帯域TDDフレーム構造は、連続的なアップリンクサブフレームの第1のセットおよび連続的なアップリンクサブフレームの第2のセットを含み得る。たとえば、連続的なアップリンクサブフレームの第1のセットおよび第2のセットを含む狭帯域TDDフレーム構造は、図4Aの表410からの構成0、1、および/または6であり得る。別の態様では、狭帯域TDDフレーム構造は、連続的なアップリンクサブフレームの単一のセットを含み得る。たとえば、連続的なアップリンクサブフレームの単一のセットを含む狭帯域TDDフレーム構造は、図4Aの表410からの構成3および/または4であり得る。そのようなTDD構成は、10msのフレーム、15kHzのサブキャリア間隔に対して定義され、ここで各サブフレームは1msの長さである。複数のサブキャリア間隔を利用するシステムでは、TDD構成は、アップリンク送信およびダウンリンク送信の継続時間を指定するものと考えられ得る。
【００８４】
狭帯域FDDフレーム構造を使用するとき、アップリンク送信は複数のスロットにわたって送信され得る。7個のOFDMシンボルとして定義される場合、スロットは、15kHzのサブキャリア間隔に対しては0.5msの長さであり、7.5kHzのサブキャリア間隔に対しては1msの長さであり、3.75kHzのサブキャリア間隔に対しては2msの長さである。スロット内のUL送信は、パイロットとデータの両方を備え、自己復号可能であることが意図される。スロット内のパイロットはデータを復号するために使用されるので、スロットの中のすべてのシンボルが一緒に送信されるようにすること、または互いに近接するようにすることが望ましい。たとえば2つの連続するUL継続時間にわたってスロットを送信することは、性能の低下につながり得る。第1の構成では、UE604は、第1の連続的なアップリンク送信継続時間に収まる最大の数のフルスロットを使用してアップリンク送信の第1の部分を送信し、次の連続的なアップリンク送信継続時間の少なくとも一部分を使用してアップリンク送信の残りの部分を送信し得る。第2の構成では、UE604は、第1の連続的なアップリンク送信継続時間の中の少なくとも部分的なスロットを使用してアップリンク送信の第1の部分を送信し、次の連続的なアップリンク送信継続時間の中の少なくとも部分的なスロットを使用してアップリンク送信の残りの部分を送信し得る。第3の構成では、スロットの継続時間がすべてのサポートされるサブキャリア間隔に対して同じであるように、サブキャリア間隔が短くなるにつれてスロット当たりのシンボルが少なくなる、新しいスロットフォーマットが定義され得る。
【００８５】
第1の構成では、UE604は、連続的なアップリンク送信継続時間の第1のセットの中のすべてのフルスロットを使用して、アップリンク送信の第1の部分605を送信し得る。言い換えると、UE604は、第1の連続的なUL送信継続時間において完全に送信され得るスロットの数を決定し、第1の連続的なアップリンク送信継続時間において決定された数のスロットの中のすべての利用可能なシンボルを使用してアップリンク送信の第1の部分605を送信し、次いで、次の連続的なアップリンク送信継続時間に収まるフルスロットを使用してアップリンク送信の第2の部分607(たとえば、残りの部分)を送信するために次のアップリンク送信継続時間に移り得る。第1の例では、構成1が狭帯域TDDフレーム構造のために使用されることと、アップリンク送信の継続時間が、各々0.5msの長さである8個のスロット(たとえば、4個のサブフレーム)であることとを、UE604によって受信される情報601が示すと仮定する。構成1における第1の連続的なアップリンク送信継続時間は2msの長さ(たとえば、サブフレーム2および3)であることがあり、構成1における連続的なアップリンク送信継続時間の第2のセットは2msの長さ(たとえば、サブフレーム7および8)であることがある。したがって、第1の構成によれば、UE604は、無線フレームにおける第1の連続的なアップリンク送信継続時間の中の4個のスロットを備えるアップリンク送信の第1の部分605を送信し得る。UE604は、第1の無線フレームにおける第2の連続的なアップリンク送信継続時間を使用して、残りの4スロットを備えるアップリンク送信の第2の部分607を送信し得る。しかしながら、アップリンク送信の継続時間が6スロットである場合、UE604は、第1の連続的なアップリンク送信継続時間の最初の4スロットを用いてアップリンク送信の第1の部分605を送信し、第2の連続的なアップリンク送信継続時間の最後の2スロットを用いてアップリンク送信の残りの部分を送信することがあり、残りの部分においては何も送信しない可能性がある。
【００８６】
第2の例では、構成6が狭帯域TDDフレーム構造のために使用されることと、アップリンク送信の継続時間が4msであることと、各スロットが2msの継続時間を有する(たとえば、3.75kHzのサブキャリア間隔)こととを、UE604によって受信される情報601が示すと仮定する。無線フレームで開始するアップリンク送信では、構成6における第1の連続的なアップリンク継続時間は3msの長さであり、構成6における第2のアップリンク継続時間は2msの長さ(特別サブフレームは考慮しない)である。したがって、1つのアップリンクフルスロットしか、第1の連続的なアップリンク送信継続時間内に収まらない。第1の構成によれば、UE604は、第1の連続的なアップリンク継続時間において第1のスロットを送信し、次の連続的なアップリンク継続時間において第2のスロットを送信し得る。第2の構成によれば、UE604は、第1のスロットに対応するすべてのシンボルと、第2のスロットのシンボルの一部分(たとえば、部分的なスロット/7個より少ないOFDMシンボル)とを使用して、アップリンク送信の第1の部分605を送信し得る。UE604は、次のアップリンク継続時間の中のシンボルの一部分(たとえば、部分的なスロットの残りの部分/7個より少ないOFDMシンボル)を使用してアップリンク送信の第2の部分607を送信することができ、または、UE604は、前の部分的なスロットの残りをパンクチャリングし(たとえば、パンクチャリングされたスロットを送信せず)、次のアップリンク継続時間において新しいスロットの送信を開始し得る。第2のアップリンク送信継続時間の未使用の部分がパンクチャリングされ得る。第1のアップリンク送信継続時間および第2のアップリンク送信継続時間は、UE604がアップリンク送信を開始するときを基準とすることに留意されたい。UE604がTDD構成6のための無線フレームの第2の半分においてアップリンク送信を開始する場合、その送信に対応して、第1のアップリンク継続時間は2msであり、第2のアップリンク継続時間は3msである。
【００８７】
第2の構成の第1の態様では、UE604は、第1の連続的なアップリンク送信継続時間におけるシンボルの総数に基づいて、第1のアップリンク送信継続時間におけるアップリンク送信の第1の部分をレートマッチングし得る(603)。第2の構成の第2の態様では、UE604は、第1のスロットにおけるシンボルの総数(たとえば、7個のOFDMシンボル)および第2のスロットにおけるシンボルの第1のサブセットに基づいて、第1の連続的なアップリンク送信継続時間におけるアップリンク送信の第1の部分605をレートマッチングし得る(603)。一態様では、アップリンク送信の第1の部分605は、第1のスロットにおけるすべてのシンボル(たとえば、7個のOFDMシンボル)および第2のスロットにおけるシンボルの第1のサブセット(たとえば、7個より少ないOFDMシンボル)に基づくパイロットパターンを使用して送信され得る。第2の構成の第1の態様または第2の態様のいずれでも、UE604は、第1の数のスロットの中の第1のスロットにおけるすべてのシンボルと、第1の数のスロットの中の第2のスロットにおけるシンボルの第1のサブセットとを使用して、アップリンク送信の第1の部分605を送信し得る。いくつかの構成では、UE604は、スロット全体が送信されると仮定し、次いで実際には送信されないシンボルをパンクチャリングすることによって、レートマッチングを実行し得る。いくつかの他の構成では、UE604は、部分的なスロットが原因のより少ない数のシンボルを仮定することによって、レートマッチングを実行し得る。いくつかの態様では、新しいパイロットパターンが、新しい部分的なスロット構造のために定義され得る。代わりに、フルスロットに対応するパイロットパターンが、パンクチャリングとともに使用され得る。すなわち、部分的なスロットがN個のシンボルを有する場合、N個のシンボルの外側のパイロットシンボルがパンクチャリングされる。
【００８８】
加えて、UE604は、第2の連続的なアップリンク送信継続時間に位置する第3のスロットの中のシンボルの第2のサブセットを使用して、アップリンク送信の第2の部分607を送信し得る。一態様では、シンボルの第1のサブセットおよびシンボルの第2のサブセットは、アップリンクサブフレームの中のすべてのシンボルに等しいことがある。別の態様では、シンボルの第2のサブセットは、第2の連続的なアップリンク送信継続時間と関連付けられ得る。
【００８９】
スクランブリング/反復
信号を入れ替え、かつ/もしくは反転させ、または、所定のスクランブリングシーケンスを用いてアップリンク送信(たとえば、NPUCCHおよび/またはNPUSCH)を別様に符号化するために、データスクランブリングが使用され得る。スクランブリングシーケンスは、適切に設定されたデスクランブラを装備しないデバイス(たとえば、基地局および/またはUE)には理解不能であり得るので、意図されたデバイスのみがアップリンク送信を適切に復号することができる。スクランブリングはまた、他のデバイスからの干渉をランダムにするのを助ける。
【００９０】
狭帯域FDDフレーム構造を使用すると、アップリンク送信のためのスクランブリングシーケンスは、アップリンクサブフレームのセットにまたがる所定の数の反復的な送信に対して同じままであり得る。反復にまたがる同じスクランブリングの使用は、受信機の実装を簡単にすることがあり、それは、反復にまたがる同じスクランブリングは、デスクランブリングおよび復調の前に異なる反復を合成し得るからである。アップリンク送信を適切に復号する確率を高めるために、基地局は、チャネルが反復的な送信にまたがって変化しない限り、デスクランブリングおよび復調の前に、反復的な送信の各々にまたがるアップリンク送信を合成することができる。UEは、複雑度が潜在的により高くなることと引き換えに反復の利益を達成するために、ポスト復調を合成することができる。
【００９１】
レガシーのFDDスクランブリングシーケンスは、フレーム番号と関連付けられるLSBに依存し得る。たとえば、レガシーのFDDスクランブリングシーケンスは以下のように定義されてよく、
【００９２】
【数１】
2020123976.tif 000003
【００９３】
ここでnfは無線フレーム番号であり、nRNTIはセルの中に位置する接続モードUEを識別するために使用される無線ネットワーク一時識別子であり、nsはスロット番号であり、
【００９４】
【数２】
2020123976.tif 000004
【００９５】
はセル識別情報である。
【００９６】
狭帯域TDDフレーム構造を使用して送信されるアップリンク送信は複数の無線フレーム(たとえば、図5に関して上で論じられる)にわたり得るので、基地局は、チャネル条件の変化が原因で異なる無線フレームにまたがって同じスクランブリングシーケンスを使用する反復的な送信を合成することが可能ではないことがある。
【００９７】
狭帯域TDDフレーム構造を使用して、反復的なアップリンク送信のためのスクランブリングシーケンスを更新する必要がある。
【００９８】
図7は、本開示のいくつかの態様による、異なるスクランブリングシーケンスがUE704から基地局702に送信される、反復的なアップリンク送信のデータフロー700を示す。基地局702は、たとえば、基地局102、180、502、602、802、902、1002、1102、1202、1302、1402、3150、3350、3550、eNB310、装置1702/1702'に相当し得る。UE704は、たとえば、UE104、350、504、604、804、904、1004、1104、1204、1304、1404、装置2902/2902'、3102/3102'、3302/3302'、3502/3502'に相当し得る。加えて、基地局702およびUE704は、狭帯域通信(たとえば、NB-IoTおよび/またはeMTC)を使用して通信するように構成され得る。たとえば、UE704は、NB-IoTデバイスおよび/またはeMTCデバイスであり得る。
【００９９】
一態様では、UE704は、狭帯域TDDフレーム構造と関連付けられる情報701を受信し得る。たとえば、狭帯域TDDフレーム構造は、図4Aの表410からの構成0、1、2、3、4、5、6、l、またはoのうちの1つであり得る。
【０１００】
別の態様では、UE704は、第1のスクランブリングシーケンスを使用して、アップリンク送信703を所定の回数送信し得る。たとえば、各アップリンク送信は、同じスクランブリングシーケンスを用いてM回反復され得る。アップリンク送信をM回反復することは、デスクランブリングの前の基地局702によるアップリンク送信の合成を助け得るが、干渉をランダム化しないという犠牲を伴い得る。一態様では、第1のスクランブリングシーケンスは、第1の無線フレームと関連付けられる第1の数のLSBを含み得る。別の態様では、第1の数のLSBは、狭帯域FDDアップリンク送信と関連付けられる第2のスクランブリングシーケンスにおいて使用される第2の数のLSBより多くてよい。
【０１０１】
1つのアップリンク送信は、狭帯域TDDフレーム構造を使用するときに複数の無線フレームにわたり得るので、UE704は、狭帯域FDDフレーム構造と比較して各無線フレームにおいてより少数のアップリンクスロット(たとえば、アップリンクサブフレーム)が利用可能であるので、スクランブリングシーケンスの繰り返しを避けるためにnf(たとえば、無線フレーム番号)のより多くのLSBを使用するようにスクランブリングシーケンスを更新することができる。たとえば、UE704は、スクランブリングシーケンスにおいて、nf mod 2ではなくnf mod 10を使用し得る。上で言及されたように、アップリンク送信の反復は異なる無線フレームで起こり得るので、基地局702は、復調の前に反復を合成することが可能ではないことがある。
【０１０２】
一態様では、反復の回数Mは狭帯域TDDフレーム構造に依存し得るので、異なる無線フレームにおいて行われる反復のために、異なるスクランブリングシーケンスが使用される。加えて、かつ/または代わりに、スクランブリングシーケンスは、同じ無線フレーム内のアップリンクサブフレームの異なるセットにまたがってリセットされ得る。たとえば、アップリンク送信703は、同じスクランブリングシーケンスを用いてM回送信されることがあり、次のM回の反復705は、異なるスクランブリングシーケンスを用いて送信されることがある。Mは、単一の無線フレームにおける連続的なアップリンクサブフレームの数および非連続的なアップリンクサブフレームの数に依存し得る。またさらに、同一の反復は送信されないことがある(たとえば、M=1)。言い換えると、アップリンク送信703の各反復は、固有のスクランブリングシーケンスを使用して一度だけ送信され得る。
【０１０３】
反復のために異なるスクランブリングシーケンスを使用することによって、本開示の基地局702は、異なるセルにまたがる干渉をランダム化してシステム性能を改善し、また、反復を合成してアップリンク送信を復号する確率を高めることが可能であり得る。
【０１０４】
アップリンク送信間の隔たり
アップリンク送信が狭帯域FDDフレーム構造を使用して反復されるとき、所定の長さ(たとえば、40ms)の隔たりが、アップリンク送信を反復するために使用される所定の数(たとえば、256個)の無線フレームの後に配置され得る。UEは、無線フレームの次のセットにおいてアップリンク送信を反復することに続く前に、タイミングおよび/または周波数の推定を実行するためにこの隔たりを使用し得る。しかしながら、UEはこの隔たりの間にタイミングおよび/または周波数の推定を実行するためにアップリンク送信の送信を止める必要があり得るので、基地局においてアップリンク送信を復号することと関連付けられるレイテンシの増大が発生し得る。
【０１０５】
UEによってタイミングおよび/または周波数の推定を実行することにより引き起こされ得る、アップリンク送信を復号することと関連付けられるレイテンシを減らす必要がある。
【０１０６】
図8は、本開示のいくつかの態様による、UE804によってタイミングおよび/または周波数の推定を実行するための流れ図800を示す図である。基地局802は、たとえば、基地局102、180、502、602、702、902、1002、1102、1202、1302、1402、3150、3350、3550、eNB310、装置1702/1702'に相当し得る。UE804は、たとえば、UE104、350、504、604、704、904、1004、1104、1204、1304、1404、装置2902/2902'、3102/3102'、3302/3302'、3502/3502'に相当し得る。加えて、基地局802およびUE804は、狭帯域通信(たとえば、NB-IoTおよび/またはeMTC)を使用して通信するように構成され得る。たとえば、UE804は、NB-IoTデバイスおよび/またはeMTCデバイスであり得る。
【０１０７】
一態様では、UE804は、狭帯域TDDフレーム構造と関連付けられる情報801を受信し得る。たとえば、狭帯域TDDフレーム構造は、図4Aの表410からの構成0、1、2、3、4、5、6、l、またはoのうちの1つであり得る。
【０１０８】
別の態様では、UE804は、無線フレームの第1のセットおよび無線フレームの第2のセットにおいてアップリンク送信を反復することを決定し得る(803)。いくつかの構成では、無線フレームの第1のセットおよび無線フレームの第2のセットは各々、256個の無線フレームを含み得る。いくつかの他の構成では、無線フレームの第1のセットおよび無線フレームの第2のセットは、256個より多数または少数の無線フレームを含み得る。無線フレームの第1のセットおよび第2の無線フレームは、同じ数の無線フレームまたは異なる数の無線フレームを含み得る。アップリンク送信は、たとえば、狭帯域物理ランダムアクセスチャネル(NPRACH)プリアンブルを含み得る。
【０１０９】
さらなる態様では、UE804は、無線フレームの第1のセットおよび無線フレームの第2のセットにおいてダウンリンクサブフレームを監視しないことを決定し得る(805)。一態様では、UE804は、無線フレームの第1のセットおよび/または無線フレームの第2のセットのうちの1つまたは複数の中のダウンリンクサブフレームの少なくとも一部分を監視しないことを示す、シグナリング(たとえば、図8には示されない)を基地局802から受信し得る。
【０１１０】
加えて、UE804は、無線フレームの第1のセットまたは無線フレームの第2のセットのうちの1つまたは複数の中の少なくとも1つのダウンリンクサブフレームを使用して、タイミング推定または周波数推定のうちの1つまたは複数を実行し得る(807)。第1の無線フレームおよび/または第2の無線フレームの中のダウンリンクサブフレームの少なくとも一部分を監視しないことによって、UE804は、タイミング推定および/または周波数推定を実行するために、ダウンリンクサブフレームの継続時間を使用することができる。タイミング推定および/または周波数推定は、基地局802と同期(たとえば、サブフレーム同期)するために使用され得る。タイミング推定および/または周波数推定がダウンリンクサブフレーム継続時間の間に実行されるので、無線フレームの第1のセットと無線フレームの第2のセットとの間に、時間の隔たりがないことがある。言い換えると、タイミング推定および/または周波数推定は、無線フレームの第1のセットと無線フレームの第2のセットとの間の隔たりを使用せずに実行され得る。
【０１１１】
NB-SRS
図9Aは、本開示のいくつかの態様による、UE904から基地局902に狭帯域SRS(NB-SRS)を送信するための流れ図900を示す図である。UEによって送信されるレガシーのSRSはコム構造を有することがあり、UEはコム構造の中のトーンのうちの1つにおいてSRSを送信することがある。NB-SRSは、コム構造において使用されないままであるトーンを使用してUEによって送信され得る。NB-SRSは、アップリンク送信の周波数依存スケジューリングを可能にするために、チャネル品質推定のために基地局902によって使用され得る。
【０１１２】
基地局902は、たとえば、基地局102、180、502、602、702、802、1002、1102、1202、1302、1402、2950、eNB310、装置1702/1702'、3102/3102'に相当し得る。UE904は、たとえば、UE104、350、504、604、704、804、1004、1104、1204、1304、1404、1750、装置2902/2902'、3302/3302'、3502/3502'に相当し得る。加えて、基地局902およびUE904は、狭帯域通信(たとえば、NB-IoTおよび/またはeMTC)を使用して通信するように構成され得る。たとえば、UE904は、NB-IoTデバイスおよび/またはeMTCデバイスであり得る。
【０１１３】
一態様では、UE904は、狭帯域TDDフレーム構造と関連付けられる情報901を受信し得る。たとえば、狭帯域TDDフレーム構造は、図4Aの表410からの構成0、1、2、3、4、5、6、l、またはoのうちの1つであり得る。
【０１１４】
別の態様では、UE904は、狭帯域TDDフレーム構造を使用して、NB-SRS903を基地局902に送信し得る。一態様では、NB-SRS903は単一トーンSRSを備える。別の態様では、NB-SRS903は、狭帯域通信と関連付けられるシステム帯域幅をカバーするために周波数ホッピングを使用する、一連のアップリンク送信として送信され得る。さらに別の態様では、NB-SRS903は、特別サブフレームのアップリンク部分において送信され得る。またさらに、NB-SRS903は、特別サブフレームのアップリンク部分においてレガシーSRSと多重化され得る。
【０１１５】
図9Bは、NB-SRS925がレガシーSRS935と多重化された、SRSコム構造915を示す図である。いくつかの構成では、コム構造の中のいくつかのトーン945が使用されないことがある。
【０１１６】
基準信号
狭帯域FDDフレーム構造を使用すると、狭帯域基準信号(NRS)シーケンスの直交性が16スロットにわたって達成され得る(たとえば、シーケンスの長さが16スロットにわたって定義される)。たとえば、UEは、直交シーケンス長16を使用して、16スロットにわたってNRSを送信し得る。狭帯域TDDフレーム構造を使用して送信されるアップリンク送信は複数の無線フレーム(たとえば、図5に関して上で論じられる)にわたり得るので、基地局は、チャネル条件の変化が原因で、直交シーケンス長が16であるNRSを合成することが可能ではないことがある。
【０１１７】
狭帯域TDDフレーム構造を使用して送信されるNRSに対して、NRS直交シーケンス長を更新する必要がある。
【０１１８】
図10Aは、本開示のいくつかの態様による、UE1004から基地局1002にNRSを送信するための流れ図1000を示す図である。NRSは、コヒーレントな信号復調を可能にするために基地局1002によって使用され得る狭帯域DM-RS(NB-DM-RS)であり得る。第2の構成では、NRSは図9に関して上で論じられたようなNB-SRSであり得る。
【０１１９】
基地局1002は、たとえば、基地局102、180、502、602、702、802、902、1102、1202、1302、1402、3150、3350、3550、eNB310、装置1702/1702'に相当し得る。UE1004は、たとえば、UE104、350、504、604、704、804、904、1104、1204、1304、1404、装置2902/2902'、3102/3102'、3302/3302'、3502/3502'に相当し得る。加えて、基地局1002およびUE1004は、狭帯域通信(たとえば、NB-IoTおよび/またはeMTC)を使用して通信するように構成され得る。たとえば、UE1004は、NB-IoTデバイスおよび/またはeMTCデバイスであり得る。
【０１２０】
一態様では、UE1004は、狭帯域TDDフレーム構造と関連付けられる情報1001を受信し得る。たとえば、UE1004は、狭帯域TDDフレーム構造が図4Aの表410からの構成0、1、2、3、4、5、6、l、またはoのうちの1つであることを示す情報1001を受信し得る。一態様では、情報1001は、連続的なアップリンクサブフレームのセットを含む狭帯域TDDフレーム構造を示し得る。狭帯域TDDフレーム構造が連続的なアップリンクサブフレームのセットを含むことを情報1001が示すとき、狭帯域TDDフレーム構造は、図4Aの表410からの構成0、1、3、4、または6のうちの1つであり得る。構成0、1、3、4、または6の各々は、少なくとも2つ以上の連続的なアップリンクサブフレームを含む。
【０１２１】
別の態様では、UE1004は、連続的なアップリンクサブフレームのセットの中のアップリンクサブフレームの数またはスロットの数のうちの少なくとも1つに基づいて、NRSと関連付けられる直交シーケンス長を決定し得る(1003)。たとえば、構成1が狭帯域TDDフレーム構造として使用されることを、UE1004によって受信される情報1001が示すと仮定する。図4Aに見られるように、構成1は2つの連続的なアップリンクサブフレームのセット(たとえば、サブフレーム2および3)を有する。2つの連続的なアップリンクサブフレームのセットは4スロットを有する。したがって、UE1004は、NRSと関連付けられる直交シーケンス長が長さ4であることを決定し得る(1003)。代わりに、狭帯域TDDフレーム構造が単一のアップリンクサブフレームを有するとき(たとえば、構成5)、NRSの直交シーケンス長は、単一のアップリンクサブフレームの中のスロットの数(たとえば、2スロット)に基づいて長さ2であり得る。
【０１２２】
さらなる態様では、UE1004は、決定された直交シーケンス長を使用してNRS1005を送信し得る。たとえば、NRS1005は、NPUSCHフォーマット1のパイロット構造を使用して送信され得る。一態様では、NRS1005は、レガシーのNPUSCHフォーマット1において使用されるパイロット密度より高い、スロット当たりのパイロット密度を含む、修正されたNPUSCHフォーマット1パイロット構造を使用して送信され得る。たとえば、修正されたNPUSCHフォーマット1は、レガシーのNPUSCHフォーマット1のようにスロット当たり1つのパイロットではなく、スロット当たり2つのパイロットを含み得る。
【０１２３】
シーケンス-グループホッピング
狭帯域FDDフレーム構造におけるシーケンス-グループホッピングパターンは、疑似ランダム方式でスロットごとに変化し得るが、シフトのオフセットはすべてのスロットにおいて固定され得る。言い換えると、シーケンス-グループホッピングパターンは、スロット番号に依存し得る。アップリンクサブフレームは狭帯域TDDフレーム構造において間隔を開けられることがあるので、スロット番号のみに依存するシーケンス-グループホッピングパターンは、異なる無線フレームにまたがって反復することがあり、したがってダイバーシティを制限することがある。
【０１２４】
狭帯域TDDフレーム構造が狭帯域通信のために使用されるときにダイバーシティを制限しないことがある、シーケンス-グループホッピングパターンが必要である。
【０１２５】
図10Bは、本開示のいくつかの態様による、UE1004から基地局1002にシーケンス-グループホッピングパターンを使用してNRSを送信するための流れ図1050を示す図である。NRSは、コヒーレントな信号復調および/またはチャネル推定を可能にするために基地局1002によって使用され得るNB-DM-RSであり得る。第2の構成では、NRSは図9に関して上で論じられたようなNB-SRSであり得る。
【０１２６】
基地局1002は、たとえば、基地局102、180、502、602、702、802、902、1102、1202、1302、1402、3150、3350、3550、eNB310、装置1702/1702'に相当し得る。UE1004は、たとえば、UE104、350、504、604、704、804、904、1104、1204、1304、1404、装置2902/2902'、3102/3102'、3302/3302'、3502/3502'に相当し得る。加えて、基地局1002およびUE1004は、狭帯域通信(たとえば、NB-IoTおよび/またはeMTC)を使用して通信するように構成され得る。たとえば、UE1004は、NB-IoTデバイスおよび/またはeMTCデバイスであり得る。
【０１２７】
一態様では、UE1004は、狭帯域TDDフレーム構造と関連付けられる情報1001を受信し得る。たとえば、UE1004は、狭帯域TDDフレーム構造が図4Aの表410からの構成0、1、2、3、4、5、6、l、またはoのうちの1つであることを示す情報1001を受信し得る。
【０１２８】
別の態様では、UE1004は、連続的なアップリンクサブフレームのセットの中のアップリンクサブフレームの数、スロットの数、または無線フレーム番号のうちの少なくとも1つに基づいて、NRSと関連付けられるシーケンス-ホッピングパターンを決定し得る(1007)。たとえば、シーケンス-ホッピングパターンは、無線フレーム番号と関連付けられる1つまたは複数のLSBに依存し得る。アップリンクサブフレームの数、連続的なアップリンクサブフレームのセットの中のスロットの数、または無線フレーム番号のうちの少なくとも1つに基づくシーケンス-ホッピングパターンを使用することによって、スロット番号のみに依存するシーケンス-ホッピングパターンを使用する場合と比較して、ダイバーシティを高めることができる。
【０１２９】
さらなる態様では、UE1004は、決定されたシーケンス-ホッピングパターンを使用してNRS1009を送信し得る。
【０１３０】
NPRACH-シンボルグループサイズ
図11は、本開示のいくつかの態様による、UE1104から基地局1102にNPRACHを送信するための流れ図1100を示す図である。基地局1102は、たとえば、基地局102、180、502、602、702、802、902、1002、1202、1302、1402、3150、3350、3550、eNB310、装置1702/1702'に相当し得る。UE1104は、たとえば、UE104、350、504、604、704、804、904、1004、1204、1304、1404、装置2902/2902'、3102/3102'、3302/3302'、3502/3502'に相当し得る。加えて、基地局1102およびUE1104は、狭帯域通信(たとえば、NB-IoTおよび/またはeMTC)を使用して通信するように構成され得る。たとえば、UE1104は、NB-IoTデバイスおよび/またはeMTCデバイスであり得る。
【０１３１】
一態様では、UE1104は、狭帯域TDDフレーム構造と関連付けられる情報1101を受信し得る。たとえば、UE1104は、狭帯域TDDフレーム構造が図4Aの表410からの構成0、1、2、3、4、5、6、l、またはoのうちの1つであることを示す情報1101を受信し得る。
【０１３２】
別の態様では、UE1104は、第1のNPRACHプリアンブルの第1のシンボルグループ1103を基地局1102に送信し得る。一態様では、第1のシンボルグループの第1の長さは、狭帯域TDDフレーム構造と関連付けられ得る。
【０１３３】
第1の構成では、第1のシンボルグループの第1の長さは、狭帯域FDDフレーム構造を使用して送信される第2のNPRACHプリアンブルの第2のシンボルグループの第2の長さより短いことがある。一態様では、第1の長さは、アップリンク送信の反復が狭帯域TDDフレーム構造に収まるように短縮され得る。たとえば、第1の長さが1.4ms/1.6ms(たとえば、狭帯域FDDフレーム構造に使用される長さ)から1msに短縮される場合、UE1104は、2msのアップリンク機会(たとえば、単一のアップリンクサブフレームまたは連続的なアップリンクサブフレームのセット)に2つのシンボルグループを、および3msのアップリンク機会に3つのシンボルグループを収容することが可能であり得る。特別サブフレームがあるアップリンク機会の前に配置されてよく、NPRACHと関連付けられるタイミングの不確実さは、アップリンク機会の前に配置される特別サブフレームにより対処され得る。NPRACHプリアンブルの長さを短縮することは、1つのシンボルグループが1つのアップリンクサブフレーム内に収まることも可能にでき、これは、構成2が狭帯域TDDフレーム構造のために使用されるときに有用であり得る。
【０１３４】
第2の構成では、第1のシンボルグループの第1の長さは、狭帯域FDDフレーム構造を使用して送信される第2のNPRACHプリアンブルの第2のシンボルグループの第2の長さより長いことがある。一態様では、第1の長さは、アップリンク送信の反復が狭帯域TDDフレーム構造に収まるように延長され得る。たとえば、UE1104は、シンボルグループのサイズを2msに増やし、2msのアップリンク機会に1つのアップリンクシンボルグループを収容することができる。狭帯域FDDフレーム構造と関連付けられるシンボルグループサイズを使用して2msのアップリンク機会において同じサイズのシンボルグループを送信することは、狭帯域FDDフレーム構造におけるシンボルグループ長が1.4ms/1.6msであるので、2msのアップリンク機会のうちの0.6ms/0.4msの無駄につながり得る。
【０１３５】
第3の構成では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。
【０１３６】
第4の構成では、第1のシンボルグループの第1の長さは、狭帯域TDDフレーム構造における1つまたは複数のアップリンク機会と関連付けられ得る。たとえば、第1のシンボルグループの第1の長さは、狭帯域TDDフレーム構造のために使用される構成に依存し得る。
【０１３７】
NPRACH-プリアンブル
狭帯域FDDフレーム構造におけるNPRACHプリアンブルは、図10Bに関して上で論じられたシンボルグループの所定の回数の反復(たとえば、4回の反復)を含み得る。しかしながら、狭帯域FDDフレーム構造において使用される所定の回数の反復は、各無線フレームにおけるアップリンクサブフレームの数が限られていることにより、狭帯域TDDフレーム構造に対してあまり適していないことがある。
【０１３８】
狭帯域TDDフレーム構造のために構成されるNPRACHプリアンブルが必要である。
【０１３９】
図12は、本開示のいくつかの態様による、UE1204から基地局1202にNPRACHプリアンブルの反復を送信するための流れ図1200を示す図である。基地局1202は、たとえば、基地局102、180、502、602、702、802、902、1002、1102、1302、1402、3150、3350、3550、eNB310、装置1702/1702'に相当し得る。UE1204は、たとえば、UE104、350、504、604、704、804、904、1004、1104、1304、1404、装置2902/2902'、3102/3102'、3302/3302'、3502/3502'に相当し得る。加えて、基地局1202およびUE1204は、狭帯域通信(たとえば、NB-IoTおよび/またはeMTC)を使用して通信するように構成され得る。たとえば、UE1204は、NB-IoTデバイスおよび/またはeMTCデバイスであり得る。
【０１４０】
一態様では、UE1204は、狭帯域TDDフレーム構造と関連付けられる情報1201を受信し得る。たとえば、UE1204は、狭帯域TDDフレーム構造が図4Aの表410からの構成0、1、2、3、4、5、6、l、またはoのうちの1つであることを示す情報1201を受信し得る。
【０１４１】
別の態様では、UE1204は、狭帯域TDDフレーム構造におけるアップリンク機会に収まる、NPRACHプリアンブルと関連付けられる複数のシンボルグループの中の最大の数のシンボルグループを決定し得る(1203)。
【０１４２】
第1の構成では、狭帯域TDDフレーム構造のためのNPRACHプリアンブルは、シンボルグループのための固定された数の反復を含むことがあり、UE1204は、異なるアップリンク機会にわたって順番にシンボルグループの反復を収め、各アップリンク機会に収められるだけ多くの反復を収め得る。
【０１４３】
第2の構成では、シンボルグループの反復の回数およびNPRACHプリアンブルのシーケンス-ホッピングパターンは、狭帯域FDDフレーム構造のために使用される反復の回数およびシーケンス-ホッピングパターンと同じであり得る。
【０１４４】
第3の構成では、シンボルグループの反復の回数は、狭帯域TDDフレーム構造のために使用される構成に依存し得る。
【０１４５】
さらなる態様では、UE1204は、狭帯域TDDフレーム構造における第1のアップリンク機会の中のNPRACHプリアンブルと関連付けられる複数のシンボルグループ1205の第1のサブセットと、狭帯域TDDフレーム構造における第2のアップリンク機会の中のNPRACHプリアンブルと関連付けられる複数のシンボルグループ1205の第2のサブセットとを送信し得る。第1の態様では、第1のサブセットは、最大の数のシンボルグループを含み得る。第2の態様では、第2のサブセットは、複数のシンボルグループまたは最大の数のシンボルグループの中の任意の残りのシンボルグループを含み得る。一態様では、複数のシンボルグループの中の各シンボルグループを送信するために使用されるトーン間の距離は、狭帯域TDDフレーム構造と関連付けられ得る。
【０１４６】
図13は、本開示のいくつかの態様による、UE1304から基地局1302にNPRACHプリアンブルの反復を送信するための流れ図1300を示す図である。一態様では、NPRACHプリアンブルは、ミニプリアンブルのあらかじめ定められたシーケンス(たとえば、シンボルグループの数、ホッピングタイプ、トーン位置(X))であり得る。加えて、かつ/または代わりに、NPRACHプリアンブルは、狭帯域TDDフレーム構造のために使用される構成および/または狭帯域TDDフレーム構造の中の特別サブフレームの数に依存し得る。
【０１４７】
基地局1302は、たとえば、基地局102、180、502、602、702、802、902、1002、1102、1202、1402、3150、3350、3550、eNB310、装置1702/1702'に相当し得る。UE1304は、たとえば、UE104、350、504、604、704、804、904、1004、1104、1204、1404、装置2902/2902'、3102/3102'、3302/3302'、3502/3502'に相当し得る。加えて、基地局1302およびUE1304は、狭帯域通信(たとえば、NB-IoTおよび/またはeMTC)を使用して通信するように構成され得る。たとえば、UE1304は、NB-IoTデバイスおよび/またはeMTCデバイスであり得る。
【０１４８】
一態様では、UE1304は、狭帯域TDDフレーム構造と関連付けられる情報1301を受信し得る。たとえば、UE1304は、狭帯域TDDフレーム構造が図4Aの表410からの構成0、1、2、3、4、5、6、l、またはoのうちの1つであることを示す情報1301を受信し得る。
【０１４９】
別の態様では、UE1304は、狭帯域TDDフレーム構造における第1のアップリンク機会において送信すべき、NPRACHプリアンブルの第1の数のシンボルグループを決定し得る(1303)。第1の数のシンボルグループは、2つのシンボルグループまたは3つのシンボルグループのいずれかを含み得る。
【０１５０】
第1の構成では、第1の数のシンボルグループは、2つのシンボルグループを含み得る。第1の構成では、UE1304は、第1のアップリンク機会の中の第1のトーンにおいて第1のシンボルグループ1305を、第1のアップリンク機会の中の第2のトーンにおいて第2のシンボルグループ1305を送信し得る。
【０１５１】
第1の構成の第1の態様では、第1のトーンと第2のトーンとの間の距離は、1トーン(たとえば、1つのOFDMシンボル)であり得る。たとえば、第1のシンボルグループはトーンXにおいて送信されることがあり、第2のシンボルグループはトーンX+1において送信されることがある。
【０１５２】
第1の構成の第2の態様では、第1のトーンと第2のトーンとの間の距離は、6トーン(たとえば、6つのOFDMシンボル)であり得る。たとえば、第1のシンボルグループはトーンXにおいて送信されることがあり、第2のシンボルグループはトーンX+6において送信されることがある。
【０１５３】
第2の構成では、第1の数のシンボルグループは、3つのシンボルグループを含み得る。第2の構成では、UE1304は、第1のアップリンク機会の第1のトーンにおいて3つのシンボルグループのうちの第1のシンボルグループ1307を、第1のアップリンク機会の第2のトーンにおいて3つのシンボルグループのうちの第2のシンボルグループ1307を、第1のアップリンク機会の第3のトーンにおいて3つのシンボルグループのうちの第3のシンボルグループ1307を送信し得る。
【０１５４】
第2の構成の第1の態様では、第1のトーンと第2のトーンとの間の第1の距離は1トーンであることがあり、第2のトーンと第3のトーンとの間の第2の距離は1トーンであることがある。たとえば、第1のシンボルグループはトーンXにおいて送信されることがあり、第2のシンボルグループはトーンX+1またはX-1において送信されることがあり、第3のシンボルグループはトーンXにおいて送信されることがある。第2のシンボルグループに対するX+1またはX-1の使用は、Xが偶数であるか奇数であるかに基づき得る。
【０１５５】
第2の構成の第2の態様では、第1のトーンと第2のトーンとの間の第1の距離は6トーンであることがあり、第2のトーンと第3のトーンとの間の第2の距離は6トーンであることがある。たとえば、第1のシンボルグループはトーンXにおいて送信されることがあり、第2のシンボルグループはトーンX+6またはX-6において送信されることがあり、第3のシンボルグループはトーンXにおいて送信されることがある。第2のシンボルグループに対して、トーンが同じリソースブロックの中にあることを確実にするために、X+6とX-6との間での選択が行われる。
【０１５６】
第2の構成の第3の態様では、第1のトーンと第2のトーンとの間の第1の距離は1トーンであることがあり、第1のトーンと第3のトーンとの間の第2の距離は6トーンであることがある。さらに、UE1304は、第1のアップリンク機会に後続する第2のアップリンク機会の中の第4のトーンにおいて、第4のシンボルグループ1309を送信し得る。一態様では、第3のトーンと第4のトーンとの間の第3の距離は1トーンであり得る。
【０１５７】
たとえば、第1のシンボルグループは、第1のアップリンク機会の中のトーンXにおいて送信されることがあり、第2のシンボルグループは、第1のアップリンク機会の中のトーンX+1において送信されることがあり、第3のシンボルグループは、第1のアップリンク機会の中のシンボルX+6において送信されることがあり、第4のシンボルグループは、第2のアップリンク機会の中のトーンXまたはX+7において送信されることがある。
【０１５８】
NPRACH-周波数ホッピング
狭帯域FDDフレーム構造の中のNPRACHプリアンブルの周波数ホッピングは、概略タイミング推定および精密タイミング推定を実行するために、基地局によって使用され得る。たとえば、シンボルグループの第1のペアは、第1のアップリンク機会において1サブキャリア離隔され、概略タイミング推定のために使用され得る。シンボルグループの第2のペアは、第2のアップリンク機会において5サブキャリア〜7サブキャリア離隔され、精密タイミング推定のために使用され得る。同じ周波数ホッピングパターンが狭帯域TDDフレーム構造のために使用される場合、基地局は、異なるアップリンク機会にまたがって時間的に離隔されるプリアンブルに頼らなければならないことがあり、したがって、アップリンク機会ごとにチャネル条件は変化し得るので、正確な精密タイミング推定および概略タイミング推定を提供しないことがある。
【０１５９】
概略タイミング推定および精密タイミング推定をサポートする、狭帯域TDDフレーム構造におけるNPRACH周波数ホッピングパターンが必要である。
【０１６０】
図14は、本開示のいくつかの態様による、UE1404から基地局1402に送信されるNPRACH周波数ホッピングパターンのための流れ図1400を示す図である。基地局1402は、たとえば、基地局102、180、502、602、702、802、902、1002、1102、1202、1302、3150、3350、3550、eNB310、装置1702/1702'に相当し得る。UE1404は、たとえば、UE104、350、504、604、704、804、904、1004、1104、1204、1304、装置2902/2902'、3102/3102'、3302/3302'、3502/3502'に相当し得る。加えて、基地局1402およびUE1404は、狭帯域通信(たとえば、NB-IoTおよび/またはeMTC)を使用して通信するように構成され得る。たとえば、UE1404は、NB-IoTデバイスおよび/またはeMTCデバイスであり得る。
【０１６１】
一態様では、UE1404は、狭帯域TDDフレーム構造と関連付けられる情報1401を受信し得る。たとえば、UE1404は、狭帯域TDDフレーム構造が図4Aの表410からの構成0、1、2、3、4、5、6、l、またはoのうちの1つであることを示す情報1401を受信し得る。
【０１６２】
別の態様では、UE1404は、狭帯域TDDフレーム構造を使用して1つまたは複数のアップリンク機会において送信される、NPRACHのシンボルグループの2つのペアと関連付けられるホッピングパターンを決定し得る(1403)。
【０１６３】
第1の構成では、シンボルグループの2つのペアと関連付けられるホッピングパターンは、単一のアップリンク機会において発生し得る。たとえば、シンボルグループの第1のペアの一方のシンボルグループがアップリンク機会の中のサブキャリアZに配置されることがあり、シンボルグループの第1のペアの他方のシンボルグループがアップリンク機会の中のサブキャリアZ+1に配置されることがある。シンボルグループの第1のペアは、概略タイミング推定のために基地局1402によって使用され得る。加えて、シンボルグループの第2のペアの一方のシンボルグループがアップリンク機会の中のサブキャリアZに配置されることがあり、シンボルグループの第2のペアの他方のシンボルグループがアップリンク機会の中のサブキャリアZ+6に配置されることがある。シンボルグループの第2のペアは、精密タイミング推定のために基地局1402によって使用され得る。
【０１６４】
第2の構成では、シンボルグループの2つのペアのうちの一方と関連付けられるホッピングパターンは第1のアップリンク機会において発生することがあり、シンボルグループの2つのペアのうちの他方と関連付けられるホッピングパターンは異なるアップリンク機会において発生することがある。たとえば、シンボルグループの第1のペアの一方のシンボルグループが第1のアップリンク機会の中のサブキャリアZに配置されることがあり、シンボルグループの第1のペアの他方のシンボルグループが第1のアップリンク機会の中のサブキャリアZ+1に配置されることがある。シンボルグループの第1のペアは、概略タイミング推定のために基地局1402によって使用され得る。加えて、シンボルグループの第2のペアの一方のシンボルグループが第2のアップリンク機会(たとえば、第1のアップリンク機会の後の次のアップリンク機会)の中のサブキャリアZに配置されることがあり、シンボルグループの第2のペアの他方のシンボルグループが第2のアップリンク機会の中のサブキャリアZ+6に配置されることがある。シンボルグループの第2のペアは、精密タイミング推定のために基地局1402によって使用され得る。
【０１６５】
さらなる態様では、UE1404は、狭帯域TDDフレーム構造の中の同じアップリンク機会または隣接するアップリンク機会において、シンボルグループ1405の第1のペアおよびシンボルグループ1405の第2のペアを送信し得る。
【０１６６】
図15は、ワイヤレス通信の方法のフローチャート1500である。方法は基地局(たとえば、基地局102、180、502、602、702、802、902、1002、1102、1202、1302、1402、2350、2950、3150、3350、3550、eNB310、装置1702/1702')によって実行され得る。図15では、破線の動作は任意選択の動作を示す。
【０１６７】
1502において、基地局は、狭帯域通信のための狭帯域TDDフレーム構造を決定し得る。たとえば、図5Aを参照すると、基地局502は、狭帯域通信のための狭帯域TDDフレーム構造を決定し得る(501)。たとえば、基地局502は、狭帯域TDDフレーム構造が図4Aの表410からの構成0、1、2、3、4、5、6、l、またはoのうちの1つであることを決定し得る(501)。
【０１６８】
1504において、基地局は、NPUCCHのために少なくとも1つのRUをUEに割り振るための物理アップリンク共有チャネル(PUSCH)フォーマットのグループのうちのあるPUSCHフォーマットを決定し得る。たとえば、図5Aを参照すると、基地局502は、NPUCCHのために少なくとも1つのRUをUE504に割り振るためのグループ(たとえば、NPUSCHフォーマット1、NPUSCHフォーマット2、または修正されたPUSCHフォーマット2)のうちのあるPUSCHフォーマットを決定し得る(503)。たとえば、基地局502は、NPUCCHのために1つまたは複数のRUをUE504に割り振るために、修正されたNPUSCHフォーマット2(たとえば、図4Bの450参照)を使用することを決定し得る。
【０１６９】
1506において、基地局は、決定されたPUSCHフォーマットを使用して少なくとも1つのRUをUEに割り振り得る。一態様では、RUは、1つまたは複数のスロットの各々の中の複数のサブキャリアを含み得る。別の態様では、複数のサブキャリアの各々は、3.75kHz、7.5kHz、または15kHzの関連するサブキャリア周波数間隔を有し得る。たとえば、図5Aを参照すると、基地局502は、決定されたPUSCHフォーマットを使用して少なくとも1つのRUをUE504に割り振り得る(505)。一態様では、RUは、1つまたは複数のスロットの各々の中の複数のサブキャリアを含み得る。別の態様では、複数のサブキャリアの各々は、3.75kHz、7.5kHz、または15kHzの関連するサブキャリア周波数間隔を有し得る。たとえば、基地局502は、NPUCCHのために1つまたは複数のスロット(たとえば、4つのスロット)の中の2つ以上のサブキャリアをUE504に割り振り得る。狭帯域TDDフレーム構造のサブキャリア間隔が3.75kHzである場合、基地局502は、単一のスロットまたは2つのスロットのいずれかにおいて、1つまたは複数のRUを割り振り得る。
【０１７０】
1508において、基地局は、RUまたはPUSCHフォーマットのうちの少なくとも1つと関連付けられる情報を送信し得る。たとえば、図5Aを参照すると、基地局502は、NPUSCHフォーマットと、NPUCCHのためにUE504に割り振られるRUとを示す、情報507を送信し得る。
【０１７１】
図16は、ワイヤレス通信の方法のフローチャート1600である。方法は基地局(たとえば、基地局102、180、502、602、702、802、902、1002、1102、1202、1302、1402、2350、2950、3150、3350、3550、eNB310、装置1702/1702')によって実行され得る。図16では、破線の動作は任意選択の動作を示す。
【０１７２】
1602において、基地局は、少なくとも所定の数の連続的なアップリンクサブフレームを含む狭帯域TDDフレーム構造を決定し得る。たとえば、図5Bを参照すると、基地局502は、少なくとも所定の数の連続的なアップリンクサブフレームを含む狭帯域TDDフレーム構造を決定し得る(509)。一態様では、所定の数のサブフレームは、各々長さが1msである3つの連続的なアップリンクサブフレームを含み得る(たとえば、15kHzのサブキャリア間隔)。別の態様では、所定の数の連続的なアップリンクサブフレームは、2つの連続的なアップリンクサブフレームまたは3つより多くの連続的なアップリンクサブフレームを含み得る。たとえば、基地局502は、所定の数の連続的なアップリンクサブフレームが3つの連続的なアップリンクサブフレームであるとき、狭帯域TDDフレーム構造が図4Aの表410からの構成0または6のうちの1つであることを決定し得る(509)。
【０１７３】
1604において、基地局は、NPUSCHのために少なくとも1つのRUをUEに割り振る際に使用すべき、第2の数のスロットの各々の中の第1の数のシンボルを決定し得る。一態様では、シンボルの第1の数およびスロットの第2の数は、所定の数の連続的なアップリンクサブフレームに基づき得る。たとえば、図5Bを参照すると、基地局502は、NPUSCHのために少なくとも1つのRUをUE504に割り振る際に使用すべき、第2の数のスロットの各々の中の第1の数のシンボルを決定し得る(511)。一態様では、シンボルの第1の数およびスロットの第2の数は、所定の数の連続的なアップリンクサブフレームに基づき得る。別の態様では、第2の数のスロットの中の各スロットは、3.75kHz、7.5kHz、または15kHzの関連するサブキャリア周波数間隔を有し得る。さらなる態様では、第2の数のスロットの中の各スロットは、3.75kHz、7.5kHz、または15kHzとは異なる関連するサブキャリア周波数間隔を有することがあり、狭帯域TDDフレーム構造のために使用される構成に依存する。レガシーのRU割振り単位は、2スロット(たとえば、1つのアップリンクサブフレーム)、4スロット(2つのアップリンクサブフレーム)、8スロット(たとえば、4つのアップリンクサブフレーム)、および/または16スロット(たとえば8つのアップリンクサブフレーム)の単位であり得る。各スロットは7個のOFDMシンボルを有し得る。第1の構成では、構成0または3が狭帯域TDDフレーム構造として使用されるとき、継続時間が3msの3つの連続的なアップリンクサブフレームが、各無線フレームに配置される。言い換えると、アップリンク送信のために、各無線フレームにおいて6つのアップリンクスロットが利用可能であり得る。したがって、RU割振りは6個のスロット(たとえば、各々7個のOFDMシンボルを伴う)を含むことがあり、これにより、レガシーのRU割振り単位を使用する場合よりも効率的に、各無線フレームの中の利用可能なアップリンクリソースを使用することができる。第2の構成では、構成6が狭帯域TDDフレーム構造として使用されるとき、3つの連続するサブフレーム(たとえば、6個のスロット)が無線フレームの第1の半分のフレームに配置され、2つの連続的なアップリンクサブフレーム(たとえば、4個のスロット)が無線フレームの第2の半分のフレームに配置される。言い換えると、アップリンク送信のために、各無線フレームにおいて10つのアップリンクスロットが利用可能であり得る。したがって、RU割振りは10個のスロット(たとえば、各々7個のOFDMシンボルを伴う)を含むことがあり、これにより、レガシーのRU割振り単位を使用する場合よりも効率的に、各無線フレームの中の利用可能なアップリンクリソースを使用することができる。第3の構成では、サブキャリア間隔が3.75kHzであるアップリンクサブフレームがRU割振りに使用されるとき、RU割振り単位は、16個より多数または少数のスロット(たとえば、各々7個のOFDMシンボルを伴う)を含み得る。16個より多数または少数のスロットのRU割振りは、レガシーのRU割振り単位を使用する場合よりも効率的に、各無線フレームの中の利用可能なアップリンクリソースを使用することができる。
【０１７４】
1606において、基地局は、少なくとも1つのRUをUEに割り振り得る。たとえば、図5Bを参照すると、基地局502は、少なくとも1つのRUをUE504に割り振り得る(513)。一態様では、RUは、1つまたは複数のスロットの各々の中の単一のサブキャリアまたは複数のサブキャリアを含み得る。別の態様では、複数のサブキャリアの各々は、3.75kHz、7.5kHz、または15kHzの関連するサブキャリア周波数間隔を有し得る。たとえば、基地局502は、NPUSCHのために6個のスロットの中の2つ以上のサブキャリアをUE504に割り振り得る。
【０１７５】
1608において、基地局は、UEに割り振られる少なくとも1つのRUと関連付けられる情報を送信し得る。たとえば、図5Bを参照すると、基地局502は、NPUSCHのためにUE504に割り振られるRU示す情報515を送信し得る。
【０１７６】
図17は、例示的な装置1702の中の異なる手段/構成要素間のデータフローを示す概念データフロー図1700である。装置は、UE1750(たとえば、UE104、350、504、604、704、804、904、1004、1104、1204、1304、1404、装置2902/2902'、3102/3102'、3302/3302'、3502/3502')と通信している基地局(たとえば、基地局102、180、502、602、702、802、902、1002、1102、1202、1302、1402、2350、2950、3150、3350、3550、eNB310、装置1702'、3102/3102')であり得る。
【０１７７】
装置は、受信構成要素1704、フレーム構造構成要素1706、RU割振り構成要素1708、送信構成要素1710、および/またはPUSCHフォーマット構成要素1712を含み得る。
【０１７８】
いくつかの構成では、フレーム構造構成要素1706は、狭帯域通信のための狭帯域TDDフレーム構造を決定するように構成され得る。フレーム構造構成要素1706は、狭帯域TDDフレーム構造と関連付けられる信号を送信構成要素1710に送信するように構成され得る。
【０１７９】
いくつかの構成では、PUSCHフォーマット構成要素1712は、NPUCCHのために少なくとも1つのRUをUE1750に割り振るためのPUSCHフォーマットのグループのうちのあるPUSCHフォーマットを決定するように構成され得る。PUSCH構成要素1712は、PUSCHフォーマットと関連付けられる信号を送信構成要素1710および/またはRU割振り構成要素1708にシグナリングするように構成され得る。
【０１８０】
いくつかの構成では、RU割振り構成要素1708は、決定されたPUSCHフォーマットを使用して少なくとも1つのRUをUEに割り振るように構成され得る。一態様では、RUは、1つまたは複数のスロットの各々の中の複数のサブキャリアを含み得る。別の態様では、複数のサブキャリアの各々は、3.75kHz、7.5kHz、または15kHzの関連するサブキャリア周波数間隔を有し得る。RU割振り構成要素1708は、決定されたPUSCHフォーマットに基づく割り振られたRUと関連付けられる信号を送信構成要素1710に送信するように構成され得る。
【０１８１】
いくつかの構成では、送信構成要素1710は、RUまたはPUSCHフォーマットのうちの少なくとも1つと関連付けられる情報をUE1750に送信するように構成され得る。
【０１８２】
いくつかの構成では、受信構成要素1704は、NPUCCHおよび/またはNPUSCHのうちの1つまたは複数をUE1750から受信するように構成され得る。
【０１８３】
装置は、図15の上述のフローチャートの中のアルゴリズムのブロックの各々を実行する追加の構成要素を含むことがある。したがって、上述の図15のフローチャートにおける各ブロックは構成要素によって実行されることがあり、装置はそれらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１８４】
図18は、処理システム1814を利用する装置1702'のハードウェア実装形態の例を示す図1800である。処理システム1814は、バス1824によって全体的に表されるバスアーキテクチャを用いて実装され得る。バス1824は、処理システム1814の具体的な適用例および全体的な設計制約に応じて、任意の数の相互接続バスおよびブリッジを含み得る。バス1824は、プロセッサ1804によって表される1つまたは複数のプロセッサおよび/またはハードウェア構成要素と、構成要素1704、1706、1708、1710、1712と、コンピュータ可読媒体/メモリ1806とを含む様々な回路を互いにつなぐ。バス1824はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【０１８５】
処理システム1814は、トランシーバ1810に結合され得る。トランシーバ1810は1つまたは複数のアンテナ1820に結合される。トランシーバ1810は、伝達媒体を介して様々な他の装置と通信するための手段を提供する。トランシーバ1810は、1つまたは複数のアンテナ1820から信号を受信し、受信された信号から情報を抽出し、抽出された情報を処理システム1814、特に受信構成要素1704に与える。加えて、トランシーバ1810は、処理システム1814から、特に送信構成要素1710から情報を受信し、受信された情報に基づいて、1つまたは複数のアンテナ1820に印加されるべき信号を生成する。処理システム1814は、コンピュータ可読媒体/メモリ1806に結合されたプロセッサ1804を含む。プロセッサ1804は、コンピュータ可読媒体/メモリ1806に記憶されたソフトウェアの実行を含む一般的な処理を担う。ソフトウェアは、プロセッサ1804によって実行されると、任意の特定の装置について上で説明された様々な機能を処理システム1814に実行させる。コンピュータ可読媒体/メモリ1806は、ソフトウェアを実行するときにプロセッサ1804によって操作されるデータを記憶するためにも使用されることがある。処理システム1814は、構成要素1704、1706、1708、1710、1712のうちの少なくとも1つをさらに含む。それらの構成要素は、プロセッサ1804内で動作し、コンピュータ可読媒体/メモリ1806に存在する/記憶されたソフトウェア構成要素、プロセッサ1804に結合された1つまたは複数のハードウェア構成要素、またはそれらの何らかの組合せであり得る。処理システム1814は、eNB310の構成要素であってよく、メモリ376、ならびに/または、TXプロセッサ316、RXプロセッサ370、およびコントローラ/プロセッサ375のうちの少なくとも1つを含んでよい。
【０１８６】
一構成では、ワイヤレス通信のための装置1702/1702'は、狭帯域通信のための狭帯域TDDフレーム構造を決定するための手段を含み得る。別の構成では、ワイヤレス通信のための装置1702/1702'は、狭帯域物理アップリンク制御チャネルNPUCCHのために少なくとも1つのRUをUEに割り振るための、PUSCHフォーマットのグループのうちのあるPUSCHフォーマットを決定するための手段を含み得る。さらなる構成では、ワイヤレス通信のための装置1702/1702'は、決定されたPUSCHフォーマットを使用して少なくとも1つのRUをUEに割り振るための手段を含み得る。一態様では、RUは、1つまたは複数のスロットの各々の中の複数のサブキャリアを含み得る。別の態様では、複数のサブキャリアの各々は、3.75kHz、7.5kHz、または15kHzの関連するサブキャリア周波数間隔を有し得る。さらなる構成では、ワイヤレス通信のための装置1702/1702'は、RUまたはPUSCHフォーマットのうちの少なくとも1つと関連付けられる情報をUEに送信するための手段を含み得る。上述の手段は、上述の手段によって列挙された機能を実行するように構成された、装置1702の上述の構成要素および/または装置1702'の処理システム1814のうちの1つまたは複数であってよい。上で説明されたように、処理システム1814は、TXプロセッサ316と、RXプロセッサ370と、コントローラ/プロセッサ375とを含むことがある。したがって、一構成では、上述の手段は、上述の手段によって列挙された機能を実行するように構成されたTXプロセッサ316、RXプロセッサ370、およびコントローラ/プロセッサ375であり得る。
【０１８７】
図19Aおよび図19Bは、ワイヤレス通信の方法のフローチャート1900である。方法は、UE(たとえば、UE104、350、504、604、704、804、904、1004、1104、1204、1304、1404、装置2902/2902'、3102/3102'、3302/3302'、3502/3502')によって実行され得る。図19では、破線の動作は任意選択の動作を示す。
【０１８８】
図19Aでは、1902において、UEが、連続的なアップリンクサブフレームの第1のセットを有する狭帯域TDDフレーム構造と関連付けられる情報を受信し得る。一態様では、連続的なアップリンクサブフレームの第1のセットは、第1の数のスロットを含み得る。たとえば、図6を参照すると、UE604は、第1の数のスロットを伴う連続的なアップリンクサブフレームの第1のセットを有する狭帯域TDDフレーム構造と関連付けられる情報601を受信し得る。たとえば、狭帯域TDDフレーム構造は、連続的なアップリンクサブフレームを各々含む、図4Aの表410からの構成0、1、3、4、または6のうちの1つであり得る。一態様では、狭帯域TDDフレーム構造は、連続的なアップリンクサブフレームの第1のセットおよび連続的なアップリンクサブフレームの第2のセットを含み得る。たとえば、連続的なアップリンクサブフレームの第1のセットおよび第2のセットを含む狭帯域TDDフレーム構造は、図4Aの表410からの構成0、1、および/または6であり得る。別の態様では、狭帯域TDDフレーム構造は、連続的なアップリンクサブフレームの単一のセットを含み得る。たとえば、連続的なアップリンクサブフレームの単一のセットを含む狭帯域TDDフレーム構造は、図4Aの表410からの構成3および/または4であり得る。
【０１８９】
図19Aでは、1904において、UEが、連続的なアップリンクサブフレームの第1のセットの中のシンボルの総数に基づいて、連続的なアップリンクサブフレームの第1のセットの中のアップリンク送信の第1の部分をレートマッチングし得る。一態様では、アップリンク送信の第1の部分を送信するために使用されない連続的なアップリンクサブフレームの第1のセットの中のあらゆるシンボルがパンクチャリングされ得る。別の態様では、アップリンク送信の第1の部分は、第1のスロットおよび第2のスロットの中のシンボルの総数に基づくパイロットパターンを使用して送信されることがあり、第2のスロットの中の使用されないシンボルがパンクチャリングされる。たとえば、図6を参照すると、UE604は、連続的なアップリンクサブフレームの第1のセットの中のシンボルの総数に基づいて、連続的なアップリンクサブフレームの第1のセットの中のアップリンク送信の第1の部分をレートマッチングし得る(603)。構成1が狭帯域TDDフレーム構造のために使用されることと、アップリンク送信の継続時間が3msであることと、各スロットが2msの継続時間を有する(たとえば、3.75kHzのサブキャリア間隔)こととを、UE604によって受信される情報601が示すと仮定する。構成1の中の連続的なサブフレームの第1のセットはサブフレーム2およびサブフレーム3であることがあり、サブフレーム2および3の総継続時間は4msである。したがって、継続時間が3msであるアップリンク送信はサブフレーム2と3の両方の中のシンボルのすべては占有せず、それは、サブフレーム2および3の継続時間(たとえば、4ms)がアップリンク送信の継続時間より長いからである。第2の構成によれば、UE604は、サブフレーム2の中のすべてのシンボルと、サブフレーム3の中のシンボルの一部分(たとえば、0.5ms/7個より少ないOFDMシンボル)とを使用して、アップリンク送信の第1の部分605を送信し得る。UE604は、サブフレーム7の中のシンボルの一部分(たとえば、0.5ms/7個より少ないOFDMシンボル)を使用して、アップリンク送信の第2の部分607を送信し得る。サブフレーム7の中のあらゆる使用されないシンボルがパンクチャリングされ得る。
【０１９０】
図19Aでは、1906において、UEが、第1のスロットにおけるシンボルの総数および第2のスロットにおけるシンボルの第1のサブセットに基づいて、連続的なサブフレームの第1のセットの中のアップリンク送信の第1の部分をレートマッチングし得る。一態様では、第2のスロットにおけるシンボルの第1のサブセットは、アップリンク送信に利用可能なシンボルに相当し得る。別の態様では、アップリンク送信の第1の部分は、第1のスロットの中のすべてのシンボルおよび第2のスロットの中のシンボルのサブセットに基づくパイロットパターンを使用して送信され得る。たとえば、図6を参照すると、UE604は、第1のスロットにおけるシンボルの総数(たとえば、7個のOFDMシンボル)および第2のスロットにおけるシンボルの第1のサブセットに基づいて、連続的なアップリンクサブフレームの第1のセットにおけるアップリンク送信の第1の部分605をレートマッチングし得る(603)。構成1が狭帯域TDDフレーム構造のために使用されることと、アップリンク送信の継続時間が3msであることと、各スロットが2msの継続時間を有する(たとえば、3.75kHzのサブキャリア間隔)こととを、UE604によって受信される情報601が示すと仮定する。構成1の中の連続的なサブフレームの第1のセットはサブフレーム2およびサブフレーム3であることがあり、サブフレーム2および3の総継続時間は4msである。したがって、継続時間が3msであるアップリンク送信はサブフレーム2と3の両方の中のシンボルのすべては占有せず、それは、サブフレーム2および3の継続時間(たとえば、4ms)がアップリンク送信の継続時間より長いからである。第2の構成によれば、UE604は、サブフレーム2の中のすべてのシンボルと、サブフレーム3の中のシンボルの一部分(たとえば、0.5ms/7個より少ないOFDMシンボル)とを使用して、アップリンク送信の第1の部分605を送信し得る。UE604は、サブフレーム7の中のシンボルの一部分(たとえば、0.5ms/7個より少ないOFDMシンボル)を使用して、アップリンク送信の第2の部分607を送信し得る。
【０１９１】
図19Aでは、1908において、UEが、連続的なアップリンクサブフレームの第1のセットの中の第1の数のスロットの少なくとも一部分を使用して、アップリンク送信の第1の部分を送信し得る。ある態様では、アップリンク送信は、連続的なアップリンクサブフレームの第1のセットより長い継続時間を有し得る。たとえば、図6を参照すると、UE604は、連続的なアップリンクサブフレームの第1のセットの中の最大の数のフルスロットを使用して(たとえば、連続的なアップリンクサブフレームの第1のセットの中のすべてのシンボルを使用して)アップリンク送信の第1の部分605を送信し、連続的なアップリンクサブフレームの次のセットの中の1つまたは複数のスロットの少なくとも一部分を使用してアップリンク送信の残りの部分607を送信し得る。
【０１９２】
図19Aでは、1910において、UEが、第1の数のスロットの中の第1のスロットのすべてのシンボルおよび第1の数のスロットの中の第2のスロットのシンボルの第1のサブセットを使用してアップリンク送信の第1の部分を送信することによって、連続的なアップリンクサブフレームの第1のセットの中の第1の数のスロットの少なくとも一部分を使用してアップリンク送信の第1の部分を送信し得る。さらなる態様では、アップリンク送信の第1の部分は、連続的なアップリンクサブフレームの第1のセットの中のすべてのスロットを使用して送信され得る。別の態様では、連続的なアップリンクサブフレームの第1のセットおよび連続的なアップリンクサブフレームの第2のセットは、同じ無線フレームの中に配置され得る。またさらなる態様では、連続的なアップリンクサブフレームの第1のセットおよび連続的なアップリンクサブフレームの第2のセットは、異なる無線フレームの中に配置され得る。たとえば、図6を参照すると、UE604は、連続的なサブフレームの第1のセットのスロットの中のすべての利用可能なシンボルを使用してアップリンク送信の第1の部分605を送信し、次いで、アップリンクサブフレームの次のセットの中の利用可能なスロットを使用してアップリンク送信の第2の部分607(たとえば、残りの部分)を送信するためにアップリンクサブフレームの次のセットに移り得る。第1の例では、構成1が狭帯域TDDフレーム構造のために使用されることと、アップリンク送信の継続時間が8個のスロット(たとえば、4個のサブフレーム)であることとを、UE604によって受信される情報601が示すと仮定する。構成1の中の連続的なサブフレームの第1のセットはサブフレーム2および3であることがあり、構成1の中の連続的なサブフレームの第2のセットはサブフレーム7および8であることがある。したがって、第1の構成によれば、UE604は、無線フレームにおいてサブフレーム2の両方のスロットとサブフレーム3の両方のスロットの中のすべてのシンボル(たとえば、各スロットの中の7個のOFDMシンボル、すなわち全体で14個のOFDMシンボル)を使用して、アップリンク送信の第1の部分605を送信し得る。UE604は、第1の無線フレームにおいてサブフレーム7の両方のスロットとサブフレーム8の両方のスロットの中のすべてのシンボル(たとえば、各スロットの中の7個のOFDMシンボル、すなわち全体で14個のOFDMシンボル)を使用して、アップリンク送信の第2の部分607を送信し得る。しかしながら、アップリンクサブフレームの継続時間が6スロットである場合、UE604は、サブフレーム2の両方のスロットとサブフレーム3の両方のスロットの中のすべてのシンボルを使用してアップリンク送信の第1の部分605を送信してよく、サブフレーム7の2つのスロットを使用してアップリンク送信の残りの部分を送信してよく、サブフレーム8では何も送信しなくてよい。
【０１９３】
図19Bでは、1912において、UEは、第2の数のスロットの第3のスロットの中のシンボルの第2のサブセットを使用して、アップリンク送信の第2の部分を送信し得る。一態様では、シンボルの第1のサブセットおよびシンボルの第2のサブセットはアップリンクサブフレームの中のすべてのシンボルに等しいことがあり、シンボルの第2のサブセットは連続的なアップリンクサブフレームの第2のセットと関連付けられることがある。たとえば、図6を参照すると、UE604は、第2の数のスロットに配置される(たとえば、連続的なアップリンクサブフレームの第2のセットに配置される)第3のスロットの中のシンボルの第2のサブセットを使用して、アップリンク送信の第2の部分607を送信し得る。一態様では、シンボルの第1のサブセットおよびシンボルの第2のサブセットは、アップリンクサブフレームの中のすべてのシンボルに等しいことがある。別の態様では、シンボルの第2のサブセットは、連続的なアップリンクサブフレームの第2のセットと関連付けられ得る。
【０１９４】
図19Bでは、1914において、UEは、第2の数のスロットの第3のスロットの中のすべてのシンボルを使用して、アップリンク送信の第2の部分を送信し得る。一態様では、第3のスロットの中のあらゆる使用されないシンボルがパンクチャリングされる。たとえば、図6を参照すると、構成1が狭帯域TDDフレーム構造のために使用されることと、アップリンク送信の継続時間が3msであることと、各スロットが2msの継続時間を有する(たとえば、3.75kHzのサブキャリア間隔)こととを、UE604によって受信される情報601が示すと仮定する。構成1の中の連続的なサブフレームの第1のセットはサブフレーム2およびサブフレーム3であることがあり、サブフレーム2および3の総継続時間は4msである。したがって、継続時間が3msであるアップリンク送信はサブフレーム2と3の両方の中のシンボルのすべては占有せず、それは、サブフレーム2および3の継続時間(たとえば、4ms)がアップリンク送信の継続時間より長いからである。第2の構成によれば、UE604は、サブフレーム2の中のすべてのシンボルと、サブフレーム3の中のシンボルの一部分(たとえば、0.5ms/7個より少ないOFDMシンボル)とを使用して、アップリンク送信の第1の部分605を送信し得る。UE604は、サブフレーム7の中のシンボルの一部分(たとえば、0.5ms/7個より少ないOFDMシンボル)を使用して、アップリンク送信の第2の部分607を送信し得る。サブフレーム7の中の使用されないシンボルはパンクチャリングされ得る。
【０１９５】
図20は、ワイヤレス通信の方法のフローチャート2000である。方法は、UE(たとえば、UE104、350、504、604、704、804、904、1004、1104、1204、1304、1404、装置2902/2902'、3102/3102'、3302/3302'、3502/3502')によって実行され得る。図20では、破線の動作は任意選択の動作を示す。
【０１９６】
2002において、UEは、狭帯域TDDフレーム構造と関連付けられる情報を受信し得る。たとえば、図7を参照すると、UE704は、狭帯域TDDフレーム構造と関連付けられる情報701を受信し得る。たとえば、狭帯域TDDフレーム構造は、図4Aの表410からの構成0、1、2、3、4、5、6、l、またはoのうちの1つであり得る。
【０１９７】
2004において、UEは、第1のスクランブリングシーケンスを使用して、アップリンク送信を所定の回数送信し得る。一態様では、第1のスクランブリングシーケンスは、第1の無線フレームと関連付けられる第1の数のLSBを含み得る。別の態様では、第1の数のLSBは、狭帯域FDDアップリンク送信と関連付けられる第2のスクランブリングシーケンスにおいて使用される第2の数のLSBより多くてよい。たとえば、図7を参照すると、UE704は、第1のスクランブリングシーケンスを使用して、アップリンク送信703を所定の回数送信し得る。たとえば、各アップリンク送信は、同じスクランブリングシーケンスを用いてM回反復され得る。アップリンク送信をM回反復することは、デスクランブリングの前の基地局702によるアップリンク送信の合成を助け得るが、干渉をランダム化しないという犠牲を伴い得る。一態様では、第1のスクランブリングシーケンスは、第1の無線フレームと関連付けられる第1の数のLSBを含み得る。別の態様では、第1の数のLSBは、狭帯域FDDアップリンク送信と関連付けられる第2のスクランブリングシーケンスにおいて使用される第2の数のLSBより多くてよい。
【０１９８】
2006において、UEは、第1のスクランブリングシーケンスを使用して一度アップリンク送信を送信することによって、第1のスクランブリングシーケンスを使用してアップリンク送信を送信し得る。たとえば、図7を参照すると、同一の反復はUE704によって送信されないことがある(たとえば、M=1)。言い換えると、アップリンク送信703は、固有のスクランブリングシーケンスを使用して一度だけ送信され得る。
【０１９９】
2008において、UEは、第1のスクランブリングシーケンスを使用して複数回アップリンク送信を反復することによって、第1のスクランブリングシーケンスを使用してアップリンク送信を送信し得る。一態様では、第1のスクランブリングシーケンスを使用してアップリンク送信が反復され得る回数は、狭帯域TDDフレーム構造または連続的なアップリンクサブフレームの数と関連付けられる。たとえば、図7を参照すると、アップリンク送信703は、同じスクランブリングシーケンスを用いてM回送信されることがあり、次のM回の反復705は、異なるスクランブリングシーケンスを用いて送信されることがある。Mは、単一の無線フレームにおける連続的なアップリンクサブフレームの数および非連続的なアップリンクサブフレームの数に依存し得る。
【０２００】
2010において、UEはアップリンク送信を反復し得る。一態様では、異なるスクランブリングシーケンスが、アップリンク送信の各反復のために使用され得る。たとえば、図7を参照すると、アップリンク送信の反復705の各々は、異なるスクランブリングシーケンスとともに送信され得る。
【０２０１】
図21は、ワイヤレス通信の方法のフローチャート2100である。方法は、UE(たとえば、UE104、350、504、604、704、804、904、1004、1104、1204、1304、1404、装置2902/2902'、3102/3102'、3302/3302'、3502/3502')によって実行され得る。
【０２０２】
2102において、UEは、狭帯域通信のための狭帯域TDDフレーム構造と関連付けられる情報を受信し得る。たとえば、図8を参照すると、UE804は、狭帯域TDDフレーム構造と関連付けられる情報801を受信し得る。たとえば、狭帯域TDDフレーム構造は、図4Aの表410からの構成0、1、2、3、4、5、6、l、またはoのうちの1つであり得る。
【０２０３】
2104において、UEは、無線フレームの第1のセットおよび無線フレームの第2のセットにおいてアップリンク送信を反復することを決定し得る。一態様では、無線フレームの第1のセットおよび無線フレームの第2のセットは、同じ数の無線フレームを含み得る。別の態様では、無線フレームは、狭帯域TDDフレーム構造と関連付けられ得る。さらなる態様では、アップリンク送信はNPRACHプリアンブルを含む。たとえば、図8を参照すると、UE804は、無線フレームの第1のセットおよび無線フレームの第2のセットにおいてアップリンク送信を反復することを決定し得る(803)。いくつかの構成では、無線フレームの第1のセットおよび無線フレームの第2のセットは各々、256個の無線フレームを含み得る。いくつかの他の構成では、無線フレームの第1のセットおよび無線フレームの第2のセットは、256個より多数または少数の無線フレームを含み得る。無線フレームの第1のセットおよび第2の無線フレームは、同じ数の無線フレームまたは異なる数の無線フレームを含み得る。アップリンク送信は、たとえば、NPRACHプリアンブルを含み得る。
【０２０４】
2106において、UEは、無線フレームの第1のセットおよび無線フレームの第2のセットにおいてダウンリンクサブフレームを監視しないことを決定し得る。たとえば、図8を参照すると、UE804は、無線フレームの第1のセットおよび無線フレームの第2のセットにおいてダウンリンクサブフレームを監視しないことを決定し得る(805)。一態様では、UE804は、無線フレームの第1のセットおよび/または無線フレームの第2のセットのうちの1つまたは複数の中のダウンリンクサブフレームの少なくとも一部分を監視しないことを示す、シグナリング(たとえば、図8には示されない)を基地局802から受信し得る。
【０２０５】
2108において、UEは、無線フレームの第1のセットまたは無線フレームの第2のセットのうちの1つまたは複数の中の少なくとも1つのダウンリンクサブフレームを使用して、タイミング推定または周波数推定のうちの1つまたは複数を実行し得る。一態様では、無線フレームの第1のセットと無線フレームの第2のセットとの間には時間の隔たりがないことがあり、タイミング推定または周波数推定のうちの1つまたは複数が、隔たりの情報を使用せずに実行される。たとえば、図8を参照すると、UE804は、無線フレームの第1のセットまたは無線フレームの第2のセットのうちの1つまたは複数の中の少なくとも1つのダウンリンクサブフレームを使用して、タイミング推定または周波数推定のうちの1つまたは複数を実行し得る(807)。第1の無線フレームおよび/または第2の無線フレームの中のダウンリンクサブフレームの少なくとも一部分を監視しないことによって、UE804は、タイミング推定および/または周波数推定を実行するために、ダウンリンクサブフレームの継続時間を使用することができる。タイミング推定および/または周波数推定は、基地局802と同期(たとえば、サブフレーム同期)するために使用され得る。タイミング推定および/または周波数推定がダウンリンクサブフレーム継続時間の間に実行されるので、無線フレームの第1のセットと無線フレームの第2のセットとの間に、時間の隔たりがないことがある。言い換えると、タイミング推定および/または周波数推定は、無線フレームの第1のセットと無線フレームの第2のセットとの間の隔たりを使用せずに実行され得る。
【０２０６】
図22は、ワイヤレス通信の方法のフローチャート2200である。方法は、UE(たとえば、UE104、350、504、604、704、804、904、1004、1104、1204、1304、1404、装置2902/2902'、3102/3102'、3302/3302'、3502/3502')によって実行され得る。
【０２０７】
2202において、UEは、狭帯域通信のための狭帯域TDDフレーム構造と関連付けられる情報を受信し得る。たとえば、図9Aを参照すると、UE904は、狭帯域TDDフレーム構造と関連付けられる情報901を受信し得る。たとえば、狭帯域TDDフレーム構造は、図4Aの表410からの構成0、1、2、3、4、5、6、l、またはoのうちの1つであり得る。
【０２０８】
2204において、UEは、狭帯域TDDフレーム構造を使用してNB-SRSを基地局に送信し得る。一態様では、NB-SRSは単一トーンSRSを含み得る。別の態様では、NB-SRSは、狭帯域通信と関連付けられるシステム帯域幅をカバーするために周波数ホッピングを使用する、一連のアップリンク送信として送信され得る。さらなる態様では、NB-SRSは、特別サブフレームのアップリンク部分において送信され得る。さらに別の態様では、NB-SRSは、特別サブフレームのアップリンク部分においてレガシーSRSと多重化され得る。たとえば、図9Aを参照すると、UE904は、狭帯域TDDフレーム構造を使用して、NB-SRS903を基地局902に送信し得る。一態様では、NB-SRS903は単一トーンSRSを備える。別の態様では、NB-SRS903は、狭帯域通信と関連付けられるシステム帯域幅をカバーするために周波数ホッピングを使用する、一連のアップリンク送信として送信され得る。さらに別の態様では、NB-SRS903は、特別サブフレームのアップリンク部分において送信され得る。またさらに、図9Bに関して上で論じられたように、NB-SRS903は、特別サブフレームのアップリンク部分においてレガシーSRSと多重化され得る。
【０２０９】
図23は、ワイヤレス通信の方法のフローチャート2300である。方法は、UE(たとえば、UE104、350、504、604、704、804、904、1004、1104、1204、1304、1404、装置2902/2902'、3102/3102'、3302/3302'、3502/3502')によって実行され得る。
【０２１０】
2302において、UEは、狭帯域通信のための狭帯域TDDフレーム構造と関連付けられる情報を受信し得る。一態様では、狭帯域TDDフレーム構造は、連続的なアップリンクサブフレームのセットを含み得る。たとえば、図10Aを参照すると、UE1004は、狭帯域TDDフレーム構造と関連付けられる情報1001を受信し得る。たとえば、UE1004は、狭帯域TDDフレーム構造が図4Aの表410からの構成0、1、2、3、4、5、6、l、またはoのうちの1つであることを示す情報1001を受信し得る。一態様では、情報1001は、連続的なアップリンクサブフレームのセットを含む狭帯域TDDフレーム構造を示し得る。狭帯域TDDフレーム構造が連続的なアップリンクサブフレームのセットを含むことを情報1001が示すとき、狭帯域TDDフレーム構造は、図4Aの表410からの構成0、1、3、4、または6のうちの1つであり得る。構成0、1、3、4、または6の各々は、少なくとも2つ以上の連続的なアップリンクサブフレームを含む。
【０２１１】
2304において、UEは、連続的なアップリンクサブフレームのセットの中のアップリンクサブフレームの数またはスロットの数のうちの少なくとも1つに基づいて、RSと関連付けられる直交シーケンス長を決定し得る。たとえば、図10Aを参照すると、UE1004は、連続的なアップリンクサブフレームのセットの中のアップリンクサブフレームの数またはスロットの数のうちの少なくとも1つに基づいて、NRSと関連付けられる直交シーケンス長を決定し得る(1003)。たとえば、構成1が狭帯域TDDフレーム構造として使用されることを、UE1004によって受信される情報1001が示すと仮定する。図4Aに見られるように、構成1は2つの連続的なアップリンクサブフレームのセット(たとえば、サブフレーム2および3)を有する。2つの連続的なアップリンクサブフレームのセットは4スロットを有する。したがって、UE1004は、NRSと関連付けられる直交シーケンス長が4であることを決定し得る(1003)。代わりに、狭帯域TDDフレーム構造が単一のアップリンクサブフレームを有するとき(たとえば、構成5)、NRSの直交シーケンス長は、単一のアップリンクサブフレームの中のスロットの数(たとえば、2スロット)に基づいて長さ2であり得る。
【０２１２】
2306において、UEは、決定された直交シーケンス長を使用してRSを送信し得る。たとえば、図10Aを参照すると、UE1004は、決定された直交シーケンス長を使用してNRS1005を送信し得る。たとえば、NRS1005は、NPUCCHフォーマット1のパイロット構造を使用して送信され得る。一態様では、NRS1005は、レガシーのNPUCCHフォーマット1において使用されるパイロット密度より高い、スロット当たりのパイロット密度を含む、修正されたNPUCCHフォーマット1パイロット構造を使用して送信され得る。たとえば、修正されたNPUCCHフォーマット1は、レガシーのNPUCCHフォーマット1のようにスロット当たり1つのパイロットではなく、スロット当たり2つのパイロットを含み得る。
【０２１３】
図24は、ワイヤレス通信の方法のフローチャート2400である。方法は、UE(たとえば、UE104、350、504、604、704、804、904、1004、1104、1204、1304、1404、装置2902/2902'、3102/3102'、3302/3302'、3502/3502')によって実行され得る。
【０２１４】
2402において、UEは、狭帯域通信のための狭帯域TDDフレーム構造と関連付けられる情報を受信し得る。たとえば、図10Bを参照すると、UE1004は、狭帯域TDDフレーム構造と関連付けられる情報1001を受信し得る。たとえば、UE1004は、狭帯域TDDフレーム構造が図4Aの表410からの構成0、1、2、3、4、5、6、l、またはoのうちの1つであることを示す情報1001を受信し得る。
【０２１５】
2404において、UEは、連続的なアップリンクサブフレームのセットの中のアップリンクサブフレームの数、スロットの数、または無線フレーム番号のうちの少なくとも1つに基づいて、RSと関連付けられるシーケンスホッピングパターンを決定し得る。たとえば、図10Bを参照すると、UE1004は、連続的なアップリンクサブフレームのセットの中のアップリンクサブフレームの数、スロットの数、または無線フレーム番号のうちの少なくとも1つに基づいて、NRSと関連付けられるシーケンス-ホッピングパターンを決定し得る(1007)。たとえば、シーケンス-ホッピングパターンは、無線フレーム番号と関連付けられる1つまたは複数のLSBに依存し得る。アップリンクサブフレームの数、連続的なアップリンクサブフレームのセットの中のスロットの数、または無線フレーム番号のうちの少なくとも1つに基づくシーケンス-ホッピングパターンを使用することによって、スロット番号のみに依存するシーケンス-ホッピングパターンを使用する場合と比較して、ダイバーシティを高めることができる。
【０２１６】
2406において、UEは、決定されたシーケンスホッピングパターンを使用してRSを送信し得る。たとえば、図10Bを参照すると、UE1004は、決定されたシーケンス-ホッピングパターンを使用してNRS1009を送信し得る。
【０２１７】
図25は、ワイヤレス通信の方法のフローチャート2500である。方法は、UE(たとえば、UE104、350、504、604、704、804、904、1004、1104、1204、1304、1404、装置2902/2902'、3102/3102'、3302/3302'、3502/3502')によって実行され得る。
【０２１８】
2502において、UEは、狭帯域通信のための狭帯域TDDフレーム構造と関連付けられる情報を受信し得る。たとえば、図11を参照すると、UE1104は、狭帯域TDDフレーム構造と関連付けられる情報1101を受信し得る。たとえば、UE1104は、狭帯域TDDフレーム構造が図4Aの表410からの構成0、1、2、3、4、5、6、l、またはoのうちの1つであることを示す情報1101を受信し得る。
【０２１９】
2504において、UEは、第1のNPRACHプリアンブルの第1のシンボルグループを基地局に送信し得る。一態様では、第1のシンボルグループの第1の長さは、狭帯域TDDフレーム構造と関連付けられ得る。一態様では、第1のシンボルグループの第1の長さは、狭帯域FDDフレーム構造を使用して送信される第2のNPRACHプリアンブルの第2のシンボルグループの第2の長さより短いことがある。別の態様では、第1のシンボルグループの第1の長さは、狭帯域FDDフレーム構造を使用して送信される第2のNPRACHプリアンブルの第2のシンボルグループの第2の長さより長い。さらなる態様では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。さらに別の態様では、第1のシンボルグループの第1の長さは、狭帯域TDDフレーム構造の1つまたは複数のアップリンク継続時間と関連付けられ得る。いくつかの態様では、以下で説明されるように、第1のシンボルグループの第1の長さは、N個のシンボルグループがN個のサブフレーム上で送信され得るように選択され得る。
【０２２０】
たとえば、図11を参照すると、UE1104は、第1のNPRACHプリアンブルの第1のシンボルグループ1103を基地局1102に送信し得る。一態様では、第1のシンボルグループの第1の長さは、狭帯域TDDフレーム構造と関連付けられ得る。第1の構成では、第1のシンボルグループの第1の長さは、狭帯域FDDフレーム構造を使用して送信される第2のNPRACHプリアンブルの第2のシンボルグループの第2の長さより短いことがある。一態様では、第1の長さは、アップリンク送信の反復が狭帯域TDDフレーム構造に収まるように短縮され得る。たとえば、第1の長さが1.4ms/1.6ms(たとえば、狭帯域FDDフレーム構造に使用される長さ)から1msに短縮される場合、UE1104は、2msのアップリンク機会(たとえば、単一のアップリンクサブフレームまたは連続的なアップリンクサブフレームのセット)に2つのシンボルグループを、および3msのアップリンク機会に3つのシンボルグループを収容することが可能であり得る。特別サブフレームがあるアップリンク機会の前に配置されてよく、NPRACHと関連付けられるタイミングの不確実さは、アップリンク機会の前に配置される特別サブフレームにより対処され得る。NPRACHプリアンブルの長さを短縮することは、1つのシンボルグループが1つのアップリンクサブフレーム内に収まることも可能にでき、これは、構成2が狭帯域TDDフレーム構造のために使用されるときに有用であり得る。第2の構成では、第1のシンボルグループの第1の長さは、狭帯域FDDフレーム構造を使用して送信される第2のNPRACHプリアンブルの第2のシンボルグループの第2の長さより長いことがある。一態様では、第1の長さは、アップリンク送信の反復が狭帯域TDDフレーム構造に収まるように延長され得る。たとえば、UE1104は、シンボルグループのサイズを2msに増やし、2msのアップリンク機会に1つのアップリンクシンボルグループを収容することができる。狭帯域FDDフレーム構造と関連付けられるシンボルグループサイズを使用して2msのアップリンク機会において同じサイズのシンボルグループを送信することは、狭帯域FDDフレーム構造におけるシンボルグループ長が1.4ms/1.6msであるので、2msのアップリンク機会の0.6ms/0.4msの無駄につながり得る。第3の構成では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。第4の構成では、第1のシンボルグループの第1の長さは、狭帯域TDDフレーム構造における1つまたは複数のアップリンク機会と関連付けられ得る。たとえば、第1のシンボルグループの第1の長さは、狭帯域TDDフレーム構造のために使用される構成に依存し得る。
【０２２１】
図26は、ワイヤレス通信の方法のフローチャート2600である。方法は、UE(たとえば、UE104、350、504、604、704、804、904、1004、1104、1204、1304、1404、装置2902/2902'、3102/3102'、3302/3302'、3502/3502')によって実行され得る。
【０２２２】
2602において、UEは、狭帯域通信のための狭帯域TDDフレーム構造と関連付けられる情報を受信し得る。たとえば、図12を参照すると、UE1204は、狭帯域TDDフレーム構造と関連付けられる情報1201を受信し得る。たとえば、UE1204は、狭帯域TDDフレーム構造が図4Aの表410からの構成0、1、2、3、4、5、6、l、またはoのうちの1つであることを示す情報1201を受信し得る。
【０２２３】
2604において、UEは、狭帯域TDDフレーム構造におけるアップリンク機会に収まる、NPRACHプリアンブルと関連付けられる複数のシンボルグループの中の最大の数のシンボルグループを決定し得る。一態様では、複数のシンボルグループは、4つのシンボルグループを含み得る。別の態様では、シンボルグループの長さは、狭帯域TDDフレーム構造に依存し得る。たとえば、図12を参照すると、UE1204は、狭帯域TDDフレーム構造におけるアップリンク機会に収まる、NPRACHプリアンブルと関連付けられる複数のシンボルグループの中の最大の数のシンボルグループを決定し得る。第1の構成では、狭帯域TDDフレーム構造のためのNPRACHプリアンブルは、シンボルグループのための固定された数の反復を含むことがあり、UE1204は、異なるアップリンク機会にわたって順番にシンボルグループの反復を収め、各アップリンク機会において収められるだけ多くの反復を収め得る。第2の構成では、シンボルグループの反復の回数およびNPRACHプリアンブルのシーケンス-ホッピングパターンは、狭帯域FDDフレーム構造のために使用される反復の回数およびシーケンス-ホッピングパターンと同じであり得る。第3の構成では、シンボルグループの反復の回数は、狭帯域TDDフレーム構造のために使用される構成に依存し得る。
【０２２４】
2606において、UEは、狭帯域TDDフレーム構造における第1のアップリンク機会の中のNPRACHプリアンブルと関連付けられる複数のシンボルグループの第1のサブセットと、狭帯域TDDフレーム構造における第2のアップリンク機会の中のNPRACHプリアンブルと関連付けられる複数のシンボルグループの第2のサブセットとを送信し得る。一態様では、第1のサブセットは、最大の数のシンボルグループを含み得る。別の態様では、第2のサブセットは、複数のシンボルグループまたは最大の数のシンボルグループの中の任意の残りのシンボルグループを含み得る。たとえば、図12を参照すると、UE1204は、狭帯域TDDフレーム構造における第1のアップリンク機会の中のNPRACHプリアンブルと関連付けられる複数のシンボルグループ1205の第1のサブセットと、狭帯域TDDフレーム構造における第2のアップリンク機会の中のNPRACHプリアンブルと関連付けられる複数のシンボルグループ1205の第2のサブセットとを送信し得る。第1の態様では、第1のサブセットは、最大の数のシンボルグループを含み得る。第2の態様では、第2のサブセットは、複数のシンボルグループまたは最大の数のシンボルグループの中の任意の残りのシンボルグループを含み得る。一態様では、複数のシンボルグループの中の各シンボルグループを送信するために使用されるトーン間の距離は、狭帯域FDDフレーム構造と関連付けられ得る。
【０２２５】
図27は、ワイヤレス通信の方法のフローチャート2700である。方法は、UE(たとえば、UE104、350、504、604、704、804、904、1004、1104、1204、1304、1404、装置2902/2902'、3102/3102'、3302/3302'、3502/3502')によって実行され得る。図27では、破線の動作は任意選択の動作を示す。
【０２２６】
2702において、UEは、狭帯域通信のための狭帯域TDDフレーム構造と関連付けられる情報を受信し得る。たとえば、図13を参照すると、UE1304は、狭帯域TDDフレーム構造と関連付けられる情報1301を受信し得る。たとえば、UE1304は、狭帯域TDDフレーム構造が図4Aの表410からの構成0、1、2、3、4、5、6、l、またはoのうちの1つであることを示す情報1301を受信し得る。
【０２２７】
2704において、UEは、狭帯域TDDフレーム構造における第1のアップリンク機会において送信すべき、NPRACHプリアンブルの第1の数のシンボルグループを決定し得る。一態様では、第1の数のシンボルグループは、2つのシンボルグループまたは3つのシンボルグループのいずれかを含み得る。たとえば、図13を参照すると、UE1304は、狭帯域TDDフレーム構造における第1のアップリンク機会において送信すべき、NPRACHプリアンブルの第1の数のシンボルグループを決定し得る(1303)。
【０２２８】
第1の数のシンボルグループが2つのシンボルグループを含むとき、2706において、UEは、第1のアップリンク機会の中の第1のトーンにおいて2つのシンボルグループのうちの第1のシンボルグループを送信し、第1のアップリンク機会の中の第2のトーンにおいて2つのシンボルグループのうちの第2のシンボルグループを送信し得る。一態様では、第1のトーンと第2のトーンとの間の距離は、1トーンまたは6トーンのいずれかであり得る。たとえば、図13を参照すると、第1の数のシンボルグループは、第1の構成では2つのシンボルグループを含み得る。第1の構成では、UE1304は、第1のアップリンク機会の中の第1のトーンにおいて第1のシンボルグループ1305を、第1のアップリンク機会の中の第2のトーンにおいて第2のシンボルグループ1305を送信し得る。第1の構成の第1の態様では、第1のトーンと第2のトーンとの間の距離は、1トーン(たとえば、1つのOFDMシンボル)であり得る。たとえば、第1のシンボルグループはトーンXにおいて送信されることがあり、第2のシンボルグループはトーンX+1において送信されることがある。第1の構成の第2の態様では、第1のトーンと第2のトーンとの間の距離は、6トーン(たとえば、6つのOFDMシンボル)であり得る。たとえば、第1のシンボルグループはトーンXにおいて送信されることがあり、第2のシンボルグループはトーンX+6において送信されることがある。
【０２２９】
第1の数のシンボルグループが3つのシンボルグループを含むとき、2708において、UEは、第1のアップリンク機会の第1のトーンにおいて3つのシンボルグループのうちの第1のシンボルグループを、第1のアップリンク機会の第2のトーンにおいて3つのシンボルグループのうちの第2のシンボルグループを、第1のアップリンク機会の第3のトーンにおいて3つのシンボルグループのうちの第3のシンボルグループを送信し得る。一態様では、シンボルグループの少なくとも1つのペアのために使用されるトーン間の第1の距離は1トーンであってよく、シンボルグループの別のペアのために使用されるトーン間の第2の距離は6トーンであってよい。たとえば、図13を参照すると、UE1304は、第1のアップリンク機会の第1のトーンにおいて3つのシンボルグループのうちの第1のシンボルグループ1307を、第1のアップリンク機会の第2のトーンにおいて3つのシンボルグループのうちの第2のシンボルグループ1307を、第1のアップリンク機会の第3のトーンにおいて3つのシンボルグループのうちの第3のシンボルグループ1307を送信し得る。一態様では、第1のシンボルグループは、第1のアップリンク機会の中のトーンXにおいて送信されることがあり、第2のシンボルグループは、第1のアップリンク機会の中のトーンX+1において送信されることがあり、第3のシンボルグループは、第1のアップリンク機会の中のシンボルX+6において送信されることがある。
【０２３０】
2710において、UEは、第1のアップリンク機会に後続する第2のアップリンク機会の中の第4のトーンにおいて、第4のシンボルグループを送信し得る。一態様では、第3のトーンと第4のトーンとの間の第3の距離は1つのトーンであり得る。たとえば、図13を参照すると、UE1304は、第1のアップリンク機会に後続する第2のアップリンク機会の中の第4のトーンにおいて、第4のシンボルグループ1309を送信し得る。一態様では、第3のトーンと第4のトーンとの間の第3の距離は1つのトーンであり得る。第1のシンボルグループは、第1のアップリンク機会の中のトーンXにおいて送信されることがあり、第2のシンボルグループは、第1のアップリンク機会の中のトーンX+1において送信されることがあり、第3のシンボルグループは、第1のアップリンク機会の中のシンボルX+6において送信されることがあり、第4のシンボルグループは、第2のアップリンク機会の中のトーンXまたはX+7において送信されることがある。
【０２３１】
図28は、ワイヤレス通信の方法のフローチャート2800である。方法は、UE(たとえば、UE104、350、504、604、704、804、904、1004、1104、1204、1304、1404、装置2902/2902'、3102/3102'、3302/3302'、3502/3502')によって実行され得る。
【０２３２】
2802において、UEは、狭帯域通信のための狭帯域TDDフレーム構造と関連付けられる情報を受信し得る。たとえば、図14を参照すると、UE1404は、狭帯域TDDフレーム構造と関連付けられる情報1401を受信し得る。たとえば、UE1404は、狭帯域TDDフレーム構造が図4Aの表410からの構成0、1、2、3、4、5、6、l、またはoのうちの1つであることを示す情報1401を受信し得る。
【０２３３】
2804において、UEは、狭帯域TDDフレーム構造を使用して1つまたは複数のアップリンク機会において送信される、NPRACHのシンボルグループの2つのペアと関連付けられるホッピングパターンを決定し得る。たとえば、図14を参照すると、UE1404は、狭帯域TDDフレーム構造を使用して1つまたは複数のアップリンク機会において送信される、NPRACHのシンボルグループの2つのペアと関連付けられるホッピングパターンを決定し得る(1403)。第1の構成では、シンボルグループの2つのペアと関連付けられるホッピングパターンは、単一のアップリンク機会において発生し得る。たとえば、シンボルグループの第1のペアの一方のシンボルグループがアップリンク機会の中のサブキャリアZに配置されることがあり、シンボルグループの第1のペアの他方のシンボルグループがアップリンク機会の中のサブキャリアZ+1に配置されることがある。シンボルグループの第1のペアは、概略タイミング推定のために基地局1402によって使用され得る。加えて、シンボルグループの第2のペアの一方のシンボルグループがアップリンク機会の中のサブキャリアZに配置されることがあり、シンボルグループの第2のペアの他方のシンボルグループがアップリンク機会の中のサブキャリアZ+6に配置されることがある。シンボルグループの第2のペアは、精密タイミング推定のために基地局1402によって使用され得る。第2の構成では、シンボルグループの2つのペアのうちの一方と関連付けられるホッピングパターンは第1のアップリンク機会において発生することがあり、シンボルグループの2つのペアのうちの他方と関連付けられるホッピングパターンは異なるアップリンク機会において発生することがある。たとえば、シンボルグループの第1のペアの一方のシンボルグループが第1のアップリンク機会の中のサブキャリアZに配置されることがあり、シンボルグループの第1のペアの他方のシンボルグループが第1のアップリンク機会の中のサブキャリアZ+1に配置されることがある。シンボルグループの第1のペアは、概略タイミング推定のために基地局1402によって使用され得る。加えて、シンボルグループの第2のペアの一方のシンボルグループが第2のアップリンク機会(たとえば、第1のアップリンク機会の後の次のアップリンク機会)の中のサブキャリアZに配置されることがあり、シンボルグループの第2のペアの他方のシンボルグループが第2のアップリンク機会の中のサブキャリアZ+6に配置されることがある。シンボルグループの第2のペアは、精密タイミング推定のために基地局1402によって使用され得る。
【０２３４】
2806において、UEは、狭帯域TDDフレーム構造の中の同じアップリンク機会または隣接するアップリンク機会において、シンボルグループの第1のペアおよびシンボルグループの第2のペアを送信し得る。一態様では、シンボルグループの第1のペアと関連付けられる第1のサブキャリア間隔は、単一のサブキャリアであり得る。別の態様では、シンボルグループの第2のペアと関連付けられる第2のサブキャリア間隔は、6つのサブキャリアであり得る。たとえば、図14を参照すると、UE1404は、狭帯域TDDフレーム構造の中の同じアップリンク機会または隣接するアップリンク機会において、シンボルグループ1405の第1のペアおよびシンボルグループ1405の第2のペアを送信し得る。
【０２３５】
図29は、例示的な装置2902の中の異なる手段/構成要素間のデータフローを示す概念データフロー図2900である。装置は、基地局2950(たとえば、基地局102、180、502、602、702、802、902、1002、1102、1202、1302、1402、2350、3150、3350、3550、eNB310、装置1702/1702')と狭帯域通信(たとえば、NB-IoT通信またはeMTC)しているUE(たとえば、UE104、350、504、604、704、804、904、1004、1104、1204、1304、1404、装置2902'、3102/3102'、3302/3302'、3502/3502')であり得る。装置は、受信構成要素2904、NPRACHプリアンブル構成要素2906、フレーム構造構成要素2908、シンボルグループ長構成要素2910、および送信構成要素2912を含み得る。
【０２３６】
いくつかの構成では、受信構成要素2904は、狭帯域通信のための狭帯域TDDフレーム構造と関連付けられる情報を受信するように構成され得る。受信構成要素2904は、狭帯域TDDフレーム構造と関連付けられる信号をフレーム構造構成要素2908に送信するように構成され得る。
【０２３７】
いくつかの構成では、フレーム構造構成要素2908は、狭帯域TDDフレーム構造を決定するように構成され得る。フレーム構造構成要素2908は、決定された狭帯域TDDフレーム構造と関連付けられる信号をシンボルグループ長構成要素2910および/または送信構成要素2912に送信するように構成され得る。
【０２３８】
いくつかの構成では、NPRACHプリアンブル構成要素2906は、基地局2950への送信のためのNPRACHプリアンブルを生成するように構成され得る。NPRACHプリアンブル構成要素2906は、NPRACHプリアンブルと関連付けられる信号をシンボルグループ長構成要素2910および/または送信構成要素2912に送信するように構成され得る。
【０２３９】
いくつかの構成では、シンボルグループ長構成要素2910は、第1のNPRACHプリアンブルの第1のシンボルグループ長を決定するように構成され得る。一態様では、第1のシンボルグループの第1の長さは、狭帯域TDDフレーム構造と関連付けられ得る。一態様では、第1のシンボルグループの第1の長さは、狭帯域FDDフレーム構造を使用して送信される第2のNPRACHプリアンブルの第2のシンボルグループの第2の長さより短いことがある。いくつかの態様では、第1のシンボルグループの第1の長さは、N個のシンボルグループがN個のサブフレーム上で送信され得るように選択され得る。別の態様では、第1のシンボルグループの第1の長さは、狭帯域FDDフレーム構造を使用して送信される第2のNPRACHプリアンブルの第2のシンボルグループの第2の長さより長い。さらなる態様では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。さらに別の態様では、第1のシンボルグループの第1の長さは、狭帯域TDDフレーム構造の1つまたは複数のアップリンク継続時間と関連付けられ得る。シンボルグループ長構成要素2910は、シンボルグループ長および/またはNPRACHプリアンブルと関連付けられる信号を送信構成要素2912に送信するように構成され得る。
【０２４０】
いくつかの構成では、送信構成要素2912は、第1のNPRACHプリアンブルの第1のシンボルグループを基地局2950に送信するように構成され得る。一態様では、第1のシンボルグループの第1の長さは、狭帯域TDDフレーム構造と関連付けられ得る。一態様では、第1のシンボルグループの第1の長さは、狭帯域FDDフレーム構造を使用して送信される第2のNPRACHプリアンブルの第2のシンボルグループの第2の長さより短いことがある。別の態様では、第1のシンボルグループの第1の長さは、狭帯域FDDフレーム構造を使用して送信される第2のNPRACHプリアンブルの第2のシンボルグループの第2の長さより長い。さらなる態様では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。さらに別の態様では、第1のシンボルグループの第1の長さは、狭帯域TDDフレーム構造の1つまたは複数のアップリンク継続時間と関連付けられ得る。
【０２４１】
装置は、図25の上述のフローチャートの中のアルゴリズムのブロックの各々を実行する追加の構成要素を含むことがある。したがって、上述の図25のフローチャートにおける各ブロックは構成要素によって実行されることがあり、装置はそれらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０２４２】
図30は、処理システム3014を利用する装置2902'のハードウェア実装形態の例を示す図3000である。処理システム3014は、バス3024によって全体的に表されるバスアーキテクチャを用いて実装され得る。バス3024は、処理システム3014の具体的な適用例および全体的な設計制約に応じて、任意の数の相互接続バスおよびブリッジを含み得る。バス3024は、プロセッサ3004によって表される1つまたは複数のプロセッサおよび/またはハードウェア構成要素と、構成要素2904、2906、2908、2910、2912と、コンピュータ可読媒体/メモリ3006とを含む様々な回路を互いにつなぐ。バス3024はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【０２４３】
処理システム3014は、トランシーバ3010に結合され得る。トランシーバ3010は、1つまたは複数のアンテナ3020に結合される。トランシーバ3010は、伝達媒体を介して様々な他の装置と通信するための手段を提供する。トランシーバ3010は、1つまたは複数のアンテナ3020から信号を受信し、受信された信号から情報を抽出し、抽出された情報を処理システム3014、特に受信構成要素2904に与える。加えて、トランシーバ3010は、処理システム3014から、特に送信構成要素2912から情報を受信し、受信された情報に基づいて、1つまたは複数のアンテナ3020に印加されるべき信号を生成する。処理システム3014は、コンピュータ可読媒体/メモリ3006に結合されたプロセッサ3004を含む。プロセッサ3004は、コンピュータ可読媒体/メモリ3006に記憶されたソフトウェアの実行を含む一般的な処理を担う。ソフトウェアは、プロセッサ3004によって実行されると、任意の特定の装置について上で説明された様々な機能を処理システム3014に実行させる。コンピュータ可読媒体/メモリ3006は、ソフトウェアを実行するときにプロセッサ3004によって操作されるデータを記憶するためにも使用されることがある。処理システム3014は、構成要素2904、2906、2908、2910、2912のうちの少なくとも1つをさらに含む。それらの構成要素は、プロセッサ3004内で動作し、コンピュータ可読媒体/メモリ3006に存在する/記憶されたソフトウェア構成要素、プロセッサ3004に結合された1つまたは複数のハードウェア構成要素、またはそれらの何らかの組合せであり得る。処理システム3014は、UE350の構成要素であってよく、メモリ360、ならびに/またはTXプロセッサ368、RXプロセッサ356、およびコントローラ/プロセッサ359のうちの少なくとも1つを含んでよい。
【０２４４】
いくつかの構成では、ワイヤレス通信のための装置2902/2902'は、狭帯域通信のための狭帯域TDDフレーム構造と関連付けられる情報を受信するための手段を含み得る。いくつかの他の構成では、ワイヤレス通信のための装置2902/2902'は、第1のNPRACHプリアンブルの第1のシンボルグループを基地局に送信するための手段を含み得る。一態様では、第1のシンボルグループの第1の長さは、狭帯域TDDフレーム構造と関連付けられ得る。一態様では、第1のシンボルグループの第1の長さは、狭帯域FDDフレーム構造を使用して送信される第2のNPRACHプリアンブルの第2のシンボルグループの第2の長さより短いことがある。別の態様では、第1のシンボルグループの第1の長さは、狭帯域FDDフレーム構造を使用して送信される第2のNPRACHプリアンブルの第2のシンボルグループの第2の長さより長い。さらなる態様では、第1のNPRACHプリアンブルと関連付けられる第1のプリアンブルフォーマットは、狭帯域FDDフレーム構造を使用して送信される第2のNPRACHプリアンブルと関連付けられる第2のプリアンブルフォーマットと異なり得る。いくつかの態様では、第1のシンボルグループの第1の長さは、N個のシンボルグループがN個のサブフレーム上で送信され得るように選択され得る。さらに別の態様では、第1のシンボルグループの第1の長さは、狭帯域TDDフレーム構造の1つまたは複数のアップリンク継続時間と関連付けられ得る。上述の手段は、上述の手段によって記載された機能を実行するように構成された、装置2902の上述の構成要素および/または装置2902'の処理システム3014のうちの1つまたは複数であってよい。上で説明されたように、処理システム3014は、TXプロセッサ368と、RXプロセッサ356と、コントローラ/プロセッサ359とを含むことがある。したがって、一構成では、上述の手段は、上述の手段によって列挙された機能を実行するように構成されたTXプロセッサ368、RXプロセッサ356、およびコントローラ/プロセッサ359であり得る。
【０２４５】
図31は、例示的な装置3102の中の異なる手段/構成要素間のデータフローを示す概念データフロー図3100である。装置は、基地局3150(たとえば、基地局102、180、502、602、702、802、902、1002、1102、1202、1302、1402、2350、2950、3350、3550、eNB310、装置1702/1702')と狭帯域通信(たとえば、NB-IoT通信またはeMTC)しているUE(たとえば、UE104、350、504、604、704、804、904、1004、1104、1204、1304、1404、装置2902/2902'、3102'、3302/3302'、3502/3502')であり得る。装置は、受信構成要素3104、NPRACHプリアンブル構成要素3106、フレーム構造構成要素3108、シンボルグループ構成要素3110、および送信構成要素3112を含み得る。
【０２４６】
いくつかの構成では、受信構成要素3104は、狭帯域通信のための狭帯域TDDフレーム構造と関連付けられる情報を受信するように構成され得る。受信構成要素3104は、狭帯域TDDフレーム構造と関連付けられる信号をフレーム構造構成要素3108に送信するように構成され得る。
【０２４７】
いくつかの構成では、フレーム構造構成要素3108は、狭帯域TDDフレーム構造を決定するように構成され得る。フレーム構造構成要素3108は、決定された狭帯域TDDフレーム構造と関連付けられる信号をシンボルグループ構成要素3110および/または送信構成要素3112に送信するように構成され得る。
【０２４８】
いくつかの構成では、NPRACHプリアンブル構成要素3106は、基地局3150への送信のためのNPRACHプリアンブルを生成するように構成され得る。NPRACHプリアンブル構成要素3106は、NPRACHプリアンブルと関連付けられる信号をシンボルグループ構成要素3110および/または送信構成要素3112に送信するように構成され得る。
【０２４９】
いくつかの構成では、シンボルグループ構成要素3110は、狭帯域TDDフレーム構造におけるアップリンク機会に収まる、NPRACHプリアンブルと関連付けられる複数のシンボルグループの中の最大の数のシンボルグループを決定するように構成され得る。一態様では、複数のシンボルグループは、4つのシンボルグループを含み得る。別の態様では、シンボルグループの長さは、狭帯域TDDフレーム構造に依存し得る。シンボルグループ構成要素3110は、狭帯域TDDフレーム構造におけるアップリンク機会に収まる、NPRACHプリアンブルと関連付けられる複数のシンボルグループの中の最大の数のシンボルグループと関連付けられる信号を送信構成要素3112に送信するように構成され得る。
【０２５０】
いくつかの構成では、送信構成要素3112は、狭帯域TDDフレーム構造における第1のアップリンク機会の中のNPRACHプリアンブルと関連付けられる複数のシンボルグループの第1のサブセットと、狭帯域TDDフレーム構造における第2のアップリンク機会の中のNPRACHプリアンブルと関連付けられる複数のシンボルグループの第2のサブセットとを送信するように構成され得る。一態様では、第1のサブセットは、最大の数のシンボルグループを含み得る。別の態様では、第2のサブセットは、複数のシンボルグループまたは最大の数のシンボルグループの中の任意の残りのシンボルグループを含み得る。
【０２５１】
装置は、図26の上述のフローチャートの中のアルゴリズムのブロックの各々を実行する追加の構成要素を含むことがある。したがって、上述の図26のフローチャートにおける各ブロックは構成要素によって実行されることがあり、装置はそれらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０２５２】
図32は、処理システム3214を利用する装置3102'のハードウェア実装形態の例を示す図3200である。処理システム3214は、バス3224によって全体的に表されるバスアーキテクチャを用いて実装され得る。バス3224は、処理システム3214の具体的な適用例および全体的な設計制約に応じて、任意の数の相互接続バスおよびブリッジを含み得る。バス3224は、プロセッサ3204によって表される1つまたは複数のプロセッサおよび/またはハードウェア構成要素と、構成要素3104、3106、3108、3110、3112と、コンピュータ可読媒体/メモリ3206とを含む様々な回路を互いにつなぐ。バス3224はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【０２５３】
処理システム3214は、トランシーバ3210に結合され得る。トランシーバ3210は、1つまたは複数のアンテナ3220に結合される。トランシーバ3210は、伝達媒体を介して様々な他の装置と通信するための手段を提供する。トランシーバ3210は、1つまたは複数のアンテナ3220から信号を受信し、受信された信号から情報を抽出し、抽出された情報を処理システム3214、特に受信構成要素3104に与える。加えて、トランシーバ3210は、処理システム3214から、特に送信構成要素3112から情報を受信し、受信された情報に基づいて、1つまたは複数のアンテナ3220に印加されるべき信号を生成する。処理システム3214は、コンピュータ可読媒体/メモリ3206に結合されたプロセッサ3204を含む。プロセッサ3204は、コンピュータ可読媒体/メモリ3206に記憶されたソフトウェアの実行を含む一般的な処理を担う。ソフトウェアは、プロセッサ3204によって実行されると、任意の特定の装置について上で説明された様々な機能を処理システム3214に実行させる。コンピュータ可読媒体/メモリ3206は、ソフトウェアを実行するときにプロセッサ3204によって操作されるデータを記憶するためにも使用されることがある。処理システム3214は、構成要素3104、3106、3108、3110、3112のうちの少なくとも1つをさらに含む。それらの構成要素は、プロセッサ3204内で動作し、コンピュータ可読媒体/メモリ3206に存在する/記憶されたソフトウェア構成要素、プロセッサ3204に結合された1つまたは複数のハードウェア構成要素、またはそれらの何らかの組合せであり得る。処理システム3214は、UE350の構成要素であってよく、メモリ360、ならびに/またはTXプロセッサ368、RXプロセッサ356、およびコントローラ/プロセッサ359のうちの少なくとも1つを含んでよい。
【０２５４】
いくつかの構成では、ワイヤレス通信のための装置3102/3102'は、狭帯域通信のための狭帯域TDDフレーム構造と関連付けられる情報を受信するための手段を含み得る。いくつかの他の構成では、ワイヤレス通信のための装置3102/3102'は、狭帯域TDDフレーム構造におけるアップリンク機会に収まる、NPRACHプリアンブルと関連付けられる複数のシンボルグループの中の最大の数のシンボルグループを決定するための手段を含み得る。一態様では、複数のシンボルグループは、4つのシンボルグループを含み得る。別の態様では、シンボルグループの長さは、狭帯域TDDフレーム構造に依存し得る。いくつかの他の構成では、ワイヤレス通信のための装置3102/3102'は、狭帯域TDDフレーム構造における第1のアップリンク機会の中のNPRACHプリアンブルと関連付けられる複数のシンボルグループの第1のサブセットと、狭帯域TDDフレーム構造における第2のアップリンク機会の中のNPRACHプリアンブルと関連付けられる複数のシンボルグループの第2のサブセットとを送信するための手段を含み得る。一態様では、第1のサブセットは、最大の数のシンボルグループを含み得る。別の態様では、第2のサブセットは、複数のシンボルグループまたは最大の数のシンボルグループの中の任意の残りのシンボルグループを含み得る。上述の手段は、上述の手段によって列挙された機能を実行するように構成された、装置3102の上述の構成要素および/または装置3102'の処理システム3214のうちの1つまたは複数であってよい。上で説明されたように、処理システム3214は、TXプロセッサ368と、RXプロセッサ356と、コントローラ/プロセッサ359とを含むことがある。したがって、一構成では、上述の手段は、上述の手段によって列挙された機能を実行するように構成されたTXプロセッサ368、RXプロセッサ356、およびコントローラ/プロセッサ359であり得る。
【０２５５】
図33は、例示的な装置3302の中の異なる手段/構成要素間のデータフローを示す概念データフロー図3300である。装置は、基地局3350(たとえば、基地局102、180、502、602、702、802、902、1002、1102、1202、1302、1402、2350、2950、3150、3550、eNB310、装置1702/1702')と狭帯域通信(たとえば、NB-IoT通信またはeMTC)しているUE(たとえば、UE104、350、504、604、704、804、904、1004、1104、1204、1304、1404、装置2902/2902'、3102/3102'、3302'、3502/3502')であり得る。装置は、受信構成要素3304、NPRACHプリアンブル構成要素3306、フレーム構造構成要素3308、シンボルグループ構成要素3310、および送信構成要素3312を含み得る。
【０２５６】
いくつかの構成では、受信構成要素3304は、狭帯域通信のための狭帯域TDDフレーム構造と関連付けられる情報を受信するように構成され得る。受信構成要素3304は、狭帯域TDDフレーム構造と関連付けられる信号をフレーム構造構成要素3308に送信するように構成され得る。
【０２５７】
いくつかの構成では、フレーム構造構成要素3308は、狭帯域TDDフレーム構造を決定するように構成され得る。フレーム構造構成要素3308は、決定された狭帯域TDDフレーム構造と関連付けられる信号をシンボルグループ構成要素3310および/または送信構成要素3312に送信するように構成され得る。
【０２５８】
いくつかの構成では、NPRACHプリアンブル構成要素3306は、基地局3350への送信のためのNPRACHプリアンブルを生成するように構成され得る。NPRACHプリアンブル構成要素3306は、NPRACHプリアンブルと関連付けられる信号をシンボルグループ構成要素3310および/または送信構成要素3312に送信するように構成され得る。
【０２５９】
いくつかの構成では、シンボルグループ構成要素3310は、狭帯域TDDフレーム構造における第1のアップリンク機会において送信すべき、NPRACHプリアンブルの第1の数のシンボルグループを決定するように構成され得る。一態様では、第1の数のシンボルグループは、2つのシンボルグループまたは3つのシンボルグループのいずれかを含み得る。シンボルグループ構成要素3310は、狭帯域TDDフレーム構造における第1のアップリンク機会において送信すべき、NPRACHプリアンブルの第1の数のシンボルグループと関連付けられる信号を送信構成要素3312に送信するように構成され得る。
【０２６０】
第1の数のシンボルグループが2つのシンボルグループを含むとき、送信構成要素3312は、第1のアップリンク機会の中の第1のトーンにおいて2つのシンボルグループのうちの第1のシンボルグループを送信し、第1のアップリンク機会の中の第2のトーンにおいて2つのシンボルグループのうちの第2のシンボルグループを送信するように構成され得る。一態様では、第1のトーンと第2のトーンとの間の距離は、1トーンまたは6トーンのいずれかであり得る。
【０２６１】
第1の数のシンボルグループが3つのシンボルグループを含むとき、送信構成要素3312は、第1のアップリンク機会の第1のトーンにおいて3つのシンボルグループのうちの第1のシンボルグループを、第1のアップリンク機会の第2のトーンにおいて3つのシンボルグループのうちの第2のシンボルグループを、第1のアップリンク機会の第3のトーンにおいて3つのシンボルグループのうちの第3のシンボルグループを送信するように構成され得る。一態様では、シンボルグループの少なくとも1つのペアのために使用されるトーン間の第1の距離は1トーンであってよく、シンボルグループの別のペアのために使用されるトーン間の第2の距離は6トーンであってよい。
【０２６２】
いくつかの構成では、送信構成要素3312は、第1のアップリンク機会に後続する第2のアップリンク機会の中の第4のトーンにおいて、第4のシンボルグループを送信するように構成され得る。一態様では、第3のトーンと第4のトーンとの間の第3の距離は1つのトーンであり得る。
【０２６３】
装置は、図27の上述のフローチャートの中のアルゴリズムのブロックの各々を実行する追加の構成要素を含むことがある。したがって、上述の図27のフローチャートにおける各ブロックは構成要素によって実行されることがあり、装置はそれらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０２６４】
図34は、処理システム3414を利用する装置3302'のハードウェア実装形態の例を示す図3400である。処理システム3414は、バス3424によって全体的に表されるバスアーキテクチャを用いて実装され得る。バス3424は、処理システム3414の具体的な適用例および全体的な設計制約に応じて、任意の数の相互接続バスおよびブリッジを含み得る。バス3424は、プロセッサ3404によって表される1つまたは複数のプロセッサおよび/またはハードウェア構成要素と、構成要素3304、3306、3308、3310、3312と、コンピュータ可読媒体/メモリ3406とを含む様々な回路を互いにつなぐ。バス3424はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【０２６５】
処理システム3414は、トランシーバ3410に結合され得る。トランシーバ3410は、1つまたは複数のアンテナ3420に結合される。トランシーバ3410は、伝達媒体を介して様々な他の装置と通信するための手段を提供する。トランシーバ3410は、1つまたは複数のアンテナ3420から信号を受信し、受信された信号から情報を抽出し、抽出された情報を処理システム3414、特に受信構成要素3304に与える。加えて、トランシーバ3410は、処理システム3414から、特に送信構成要素3312から情報を受信し、受信された情報に基づいて、1つまたは複数のアンテナ3420に印加されるべき信号を生成する。処理システム3414は、コンピュータ可読媒体/メモリ3406に結合されたプロセッサ3404を含む。プロセッサ3404は、コンピュータ可読媒体/メモリ3406に記憶されたソフトウェアの実行を含む一般的な処理を担う。ソフトウェアは、プロセッサ3404によって実行されると、任意の特定の装置について上で説明された様々な機能を処理システム3414に実行させる。コンピュータ可読媒体/メモリ3406は、ソフトウェアを実行するときにプロセッサ3404によって操作されるデータを記憶するためにも使用されることがある。処理システム3414は、構成要素3304、3306、3308、3310、3312のうちの少なくとも1つをさらに含む。それらの構成要素は、プロセッサ3404内で動作し、コンピュータ可読媒体/メモリ3406に存在する/記憶されたソフトウェア構成要素、プロセッサ3404に結合された1つまたは複数のハードウェア構成要素、またはそれらの何らかの組合せであり得る。処理システム3414は、UE350の構成要素であってよく、メモリ360、ならびに/またはTXプロセッサ368、RXプロセッサ356、およびコントローラ/プロセッサ359のうちの少なくとも1つを含んでよい。
【０２６６】
いくつかの構成では、ワイヤレス通信のための装置3302/3302'は、狭帯域通信のための狭帯域TDDフレーム構造と関連付けられる情報を受信するための手段を含み得る。いくつかの他の構成では、ワイヤレス通信のための装置3302/3302'は、狭帯域TDDフレーム構造における第1のアップリンク機会において送信すべき、NPRACHプリアンブルの第1の数のシンボルグループを決定するための手段を含み得る。一態様では、第1の数のシンボルグループは、2つのシンボルグループまたは3つのシンボルグループのいずれかを含み得る。いくつかの他の構成では、ワイヤレス通信のための装置3302/3302'は、第1の数のシンボルグループが2つのシンボルグループを含むとき、第1のアップリンク機会の中の第1のトーンにおいて2つのシンボルグループのうちの第1のシンボルグループを送信し、第1のアップリンク機会の中の第2のトーンにおいて2つのシンボルグループのうちの第2のシンボルグループを送信するための手段を含み得る。一態様では、第1のトーンと第2のトーンとの間の距離は、1トーンまたは6トーンのいずれかであり得る。いくつかの他の構成では、ワイヤレス通信のための装置3302/3302'は、第1の数のシンボルグループが3つのシンボルグループを含むとき、第1のアップリンク機会の第1のトーンにおいて3つのシンボルグループのうちの第1のシンボルグループを、第1のアップリンク機会の第2のトーンにおいて3つのシンボルグループのうちの第2のシンボルグループを、第1のアップリンク機会の第3のトーンにおいて3つのシンボルグループのうちの第3のシンボルグループを送信するための手段を含み得る。一態様では、シンボルグループの少なくとも1つのペアのために使用されるトーン間の第1の距離は1トーンであってよく、シンボルグループの別のペアのために使用されるトーン間の第2の距離は6トーンであってよい。いくつかの他の構成では、ワイヤレス通信のための装置3302/3302'は、第1のアップリンク機会に後続する第2のアップリンク機会の中の第4のトーンにおいて、第4のシンボルグループを送信するための手段を含み得る。一態様では、第3のトーンと第4のトーンとの間の第3の距離は1つのトーンであり得る。上述の手段は、上述の手段によって記載された機能を実行するように構成された、装置3302の上述の構成要素および/または装置3302'の処理システム3414のうちの1つまたは複数であってよい。上で説明されたように、処理システム3414は、TXプロセッサ368と、RXプロセッサ356と、コントローラ/プロセッサ359とを含むことがある。したがって、一構成では、上述の手段は、上述の手段によって列挙された機能を実行するように構成されたTXプロセッサ368、RXプロセッサ356、およびコントローラ/プロセッサ359であり得る。
【０２６７】
図35は、例示的な装置3502の中の異なる手段/構成要素間のデータフローを示す概念データフロー図3500である。装置は、基地局3550(たとえば、基地局102、180、502、602、702、802、902、1002、1102、1202、1302、1402、2350、2950、3150、3350、eNB310、装置1702/1702')と狭帯域通信(たとえば、NB-IoT通信またはeMTC)しているUE(たとえば、UE104、350、504、604、704、804、904、1004、1104、1204、1304、1404、装置2902/2902'、3102/3102'、3302/3302'、3502')であり得る。装置は、受信構成要素3504、NPRACHシンボルグループ構成要素3506、フレーム構造構成要素3508、周波数ホッピングパターン構成要素3510、および送信構成要素3512を含み得る。
【０２６８】
いくつかの構成では、受信構成要素3504は、狭帯域通信のための狭帯域TDDフレーム構造と関連付けられる情報を受信するように構成され得る。受信構成要素3504は、狭帯域TDDフレーム構造と関連付けられる信号をフレーム構造構成要素3508に送信するように構成され得る。
【０２６９】
いくつかの構成では、フレーム構造構成要素3508は、狭帯域TDDフレーム構造を決定するように構成され得る。フレーム構造構成要素3508は、決定された狭帯域TDDフレーム構造と関連付けられる信号を周波数ホッピングパターン構成要素3510および/または送信構成要素3512に送信するように構成され得る。
【０２７０】
いくつかの構成では、NPRACHシンボルグループ構成要素3506は、基地局3550への送信のための少なくとも1つのNPRACHシンボルグループを生成するように構成され得る。NPRACHシンボルグループ構成要素3506は、少なくとも1つのNPRACHシンボルグループと関連付けられる信号を周波数ホッピングパターン構成要素3510および/または送信構成要素3512に送信するように構成され得る。
【０２７１】
いくつかの構成では、周波数ホッピングパターン構成要素3510は、狭帯域TDDフレーム構造を使用して1つまたは複数のアップリンク機会において送信される、NPRACHのシンボルグループの2つのペアと関連付けられるホッピングパターンを決定するように構成され得る。周波数ホッピングパターン構成要素3510は、狭帯域TDDフレーム構造を使用して1つまたは複数のアップリンク機会において送信される、NPRACHのシンボルグループの2つのペアと関連付けられるホッピングパターンと関連付けられる信号を、送信構成要素3512に送信するように構成され得る。
【０２７２】
いくつかの構成では、送信構成要素3512は、狭帯域TDDフレーム構造の中の同じアップリンク機会または隣接するアップリンク機会において、シンボルグループの第1のペアおよびシンボルグループの第2のペアを送信するように構成され得る。一態様では、シンボルグループの第1のペアと関連付けられる第1のサブキャリア間隔は、単一のサブキャリアであり得る。別の態様では、シンボルグループの第2のペアと関連付けられる第2のサブキャリア間隔は、6つのサブキャリアであり得る。
【０２７３】
装置は、図28の上述のフローチャートの中のアルゴリズムのブロックの各々を実行する追加の構成要素を含むことがある。したがって、上述の図28のフローチャートにおける各ブロックは構成要素によって実行されることがあり、装置はそれらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０２７４】
図36は、処理システム3614を利用する装置3502'のハードウェア実装形態の例を示す図3600である。処理システム3614は、バス3624によって全体的に表されるバスアーキテクチャを用いて実装され得る。バス3624は、処理システム3614の具体的な適用例および全体的な設計制約に応じて、任意の数の相互接続バスおよびブリッジを含み得る。バス3624は、プロセッサ3604によって表される1つまたは複数のプロセッサおよび/またはハードウェア構成要素と、構成要素3504、3506、3508、3510、3512と、コンピュータ可読媒体/メモリ3606とを含む様々な回路を互いにつなぐ。バス3624はまた、タイミングソース、周辺装置、電圧調整器、および電力管理回路などの、様々な他の回路をつなぎ得るが、これらの回路は当技術分野においてよく知られており、したがって、これらの回路はこれ以上説明されない。
【０２７５】
処理システム3614は、トランシーバ3610に結合され得る。トランシーバ3610は、1つまたは複数のアンテナ3620に結合される。トランシーバ3610は、伝達媒体を介して様々な他の装置と通信するための手段を提供する。トランシーバ3610は、1つまたは複数のアンテナ3620から信号を受信し、受信された信号から情報を抽出し、抽出された情報を処理システム3614、特に受信構成要素3504に与える。加えて、トランシーバ3610は、処理システム3614から、特に送信構成要素3512から情報を受信し、受信された情報に基づいて、1つまたは複数のアンテナ3620に印加されるべき信号を生成する。処理システム3614は、コンピュータ可読媒体/メモリ3606に結合されたプロセッサ3604を含む。プロセッサ3604は、コンピュータ可読媒体/メモリ3606に記憶されたソフトウェアの実行を含む一般的な処理を担う。ソフトウェアは、プロセッサ3604によって実行されると、任意の特定の装置について上で説明された様々な機能を処理システム3614に実行させる。コンピュータ可読媒体/メモリ3606は、ソフトウェアを実行するときにプロセッサ3604によって操作されるデータを記憶するためにも使用されることがある。処理システム3614は、構成要素3504、3506、3508、3510、3512のうちの少なくとも1つをさらに含む。それらの構成要素は、プロセッサ3604内で動作し、コンピュータ可読媒体/メモリ3606に存在する/記憶されたソフトウェア構成要素、プロセッサ3604に結合された1つまたは複数のハードウェア構成要素、またはそれらの何らかの組合せであり得る。処理システム3614は、UE350の構成要素であってよく、メモリ360、ならびに/またはTXプロセッサ368、RXプロセッサ356、およびコントローラ/プロセッサ359のうちの少なくとも1つを含んでよい。
【０２７６】
いくつかの構成では、ワイヤレス通信のための装置3502/3502'は、狭帯域通信のための狭帯域TDDフレーム構造と関連付けられる情報を受信するための手段を含み得る。いくつかの他の構成では、ワイヤレス通信のための装置3502/3502'は、狭帯域TDDフレーム構造を使用して1つまたは複数のアップリンク機会において送信される、NPRACHのシンボルグループの2つのペアと関連付けられるホッピングパターンを決定するための手段を含み得る。いくつかの他の構成では、ワイヤレス通信のための装置3502/3502'は、狭帯域TDDフレーム構造の中の同じアップリンク機会または隣接するアップリンク機会において、シンボルグループの第1のペアおよびシンボルグループの第2のペアを送信するための手段を含み得る。一態様では、シンボルグループの第1のペアと関連付けられる第1のサブキャリア間隔は、単一のサブキャリアであり得る。別の態様では、シンボルグループの第2のペアと関連付けられる第2のサブキャリア間隔は、6つのサブキャリアであり得る。上述の手段は、上述の手段によって記載された機能を実行するように構成された、装置3502の上述の構成要素および/または装置3502'の処理システム3614のうちの1つまたは複数であってよい。上で説明されたように、処理システム3614は、TXプロセッサ368と、RXプロセッサ356と、コントローラ/プロセッサ359とを含むことがある。したがって、一構成では、上述の手段は、上述の手段によって列挙された機能を実行するように構成されたTXプロセッサ368、RXプロセッサ356、およびコントローラ/プロセッサ359であり得る。
【０２７７】
開示されたプロセス/フローチャートにおけるブロックの特定の順序または階層は例示的な手法の例示であることを理解されたい。設計上の選好に基づいて、プロセス/フローチャートにおけるブロックの特定の順序または階層が再構成されることがあることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０２７８】
上述の説明は、本明細書で説明された様々な態様を当業者が実践できるようにするために提供される。これらの態様の様々な変更が、当業者には容易に明らかになり、本明細書において規定される一般原理は、他の態様に適用されることがある。したがって、特許請求の範囲は、本明細書に示された態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含み得る。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【０２７９】
102  基地局
104  UE
110  地理的カバレッジエリア
120  通信リンク
132  バックホールリンク
134  バックホールリンク
150  AP
152  STA
154  通信リンク
160  EPC
162  MME
164  他のMME
166  サービングゲートウェイ
168  MBMS GW
170  BM-SC
172  PDNゲートウェイ
174  HSS
176  IPサービス
180  gNB
184  ビームフォーミング
192  D2D通信リンク
198  狭帯域通信のための狭帯域TDDフレーム構造
310  eNB
316  TXプロセッサ
318  送信機
320  受信機
350  UE
352  送信機
354  受信機
356  RXプロセッサ
358  チャネル推定器
359  コントローラ/プロセッサ
360  メモリ
368  TXプロセッサ
370  RXプロセッサ
374  チャネル推定器
375  コントローラ/プロセッサ
376  メモリ
400  狭帯域TDDフレーム構造
410  表
412  狭帯域TDDフレーム構造
414  狭帯域TDDフレーム構造
416  狭帯域TDDフレーム構造
430  無線フレーム
440  スロット構造
450  スロット構造
460  間隔
470  サブキャリア間隔
480  サブキャリア間隔
502  基地局
504  UE
507  情報
515  情報
601  情報
602  基地局
604  UE
605  アップリンク送信の第1の部分
607  アップリンク送信の第2の部分
701  情報
702  基地局
703  アップリンク送信
704  UE
705  反復
801  情報
802  基地局
804  UE
901  情報
902  基地局
903  NB-SRS
904  UE
925  NB-SRS
935  レガシーSRS
945  使用されないトーン
1001  情報
1002  基地局
1004  UE
1005  NRS
1009  NRS
1101  情報
1102  基地局
1103  第1のNPRACHの第1のシンボルグループ
1104  UE
1201  情報
1202  基地局
1203  アップリンク機会に収まるNPRACHの中の最大の数のシンボルグループ
1204  UE
1301  情報
1302  基地局
1304  UE
1401  情報
1402  基地局
1404  UE
1702  装置
1704  受信構成要素
1706  フレーム構造構成要素
1708  RU割振り構成要素
1710  送信構成要素
1712  PUSCHフォーマット構成要素
1750  UE
1804  プロセッサ
1806  コンピュータ可読媒体/メモリ
1810  トランシーバ
1814  処理システム
1824  バス
2902  装置
2904  受信構成要素
2906  NPRACHプリアンブル構成要素
2908  フレーム構造構成要素
2910  シンボルグループ長構成要素
2912  送信構成要素
2950  基地局
3004  プロセッサ
3006  コンピュータ可読媒体/メモリ
3010  トランシーバ
3014  処理システム
3020  アンテナ
3024  バス
3102  装置
3104  受信構成要素
3106  NPRACHプリアンブル構成要素
3108  フレーム構造構成要素
3110  シンボルグループ構成要素
3112  送信構成要素
3150  基地局
3204  プロセッサ
3206  コンピュータ可読媒体/メモリ
3210  トランシーバ
3214  処理システム
3220  アンテナ
3224  バス
3302  装置
3304  受信構成要素
3306  NPRACHプリアンブル構成要素
3308  フレーム構造構成要素
3310  シンボルグループ構成要素
3312  送信構成要素
3350  基地局
3404  プロセッサ
3406  コンピュータ可読媒体/メモリ
3410  トランシーバ
3414  処理システム
3420  アンテナ
3424  バス
3502  装置
3504  受信構成要素
3506  NPRACHシンボルグループ構成要素
3508  フレーム構造構成要素
3510  周波数ホッピングパターン構成要素
3512  送信構成要素
3550  基地局
3604  プロセッサ
3606  コンピュータ可読媒体/メモリ
3610  トランシーバ
3614  処理システム
3620  アンテナ
3624  バス
【図１】
2020123976.tif 000005
【図２Ａ】
2020123976.tif 000006
【図２Ｂ】
2020123976.tif 000007
【図２Ｃ】
2020123976.tif 000008
【図２Ｄ】
2020123976.tif 000009
【図３】
2020123976.tif 000010
【図４Ａ】
2020123976.tif 000011
【図４Ｂ】
2020123976.tif 000012
【図４Ｃ】
2020123976.tif 000013
【図５Ａ】
2020123976.tif 000014
【図５Ｂ】
2020123976.tif 000015
【図６】
2020123976.tif 000016
【図７】
2020123976.tif 000017
【図８】
2020123976.tif 000018
【図９Ａ】
2020123976.tif 000019
【図９Ｂ】
2020123976.tif 000020
【図１０Ａ】
2020123976.tif 000021
【図１０Ｂ】
2020123976.tif 000022
【図１１】
2020123976.tif 000023
【図１２】
2020123976.tif 000024
【図１３】
2020123976.tif 000025
【図１４】
2020123976.tif 000026
【図１５】
2020123976.tif 000027
【図１６】
2020123976.tif 000028
【図１７】
2020123976.tif 000029
【図１８】
2020123976.tif 000030
【図１９Ａ】
2020123976.tif 000031
【図１９Ｂ】
2020123976.tif 000032
【図２０】
2020123976.tif 000033
【図２１】
2020123976.tif 000034
【図２２】
2020123976.tif 000035
【図２３】
2020123976.tif 000036
【図２４】
2020123976.tif 000037
【図２５】
2020123976.tif 000038
【図２６】
2020123976.tif 000039
【図２７】
2020123976.tif 000040
【図２８】
2020123976.tif 000041
【図２９】
2020123976.tif 000042
【図３０】
2020123976.tif 000043
【図３１】
2020123976.tif 000044
【図３２】
2020123976.tif 000045
【図３３】
2020123976.tif 000046
【図３４】
2020123976.tif 000047
【図３５】
2020123976.tif 000048
【図３６】
2020123976.tif 000049
【外国語明細書】
2020123976000001.pdf